(57)【特許請求の範囲】
【請求項１】
方法において、
ユーザ機器において、データパケットのセットのバンドリングを実行することと、
前記バンドリングを実行することに応答して、前記バンドリングを特定する情報を含む報告を発生させることと、
前記ユーザ機器から前記ユーザ機器に対するアクティブセット中の非担当基地局に前記報告を伝えることとを含む方法。
【請求項２】
前記伝えることは、周期的な配信またはスケジューリングされた配信を含む配信モードにしたがって、前記報告を送信することを含み、
前記情報は、（ｉ）前記ユーザ機器においてバンドルされたデータパケットの数、または、（ｉｉ）前記ユーザ機器においてバンドルされたデータの量のうちの少なくとも１つを伝え、
前記バンドルされたデータは、前記バンドリングを実行することから結果として生じる請求項１記載の方法。
【請求項３】
前記伝えることは、前記報告を送信するための前記配信モードの表示を前記非担当基地局から受信することをさらに含む請求項２記載の方法。
【請求項４】
前記伝えることは、イベントベースの配信モードにおける配信条件が満たされている場合に、前記報告を送信することをさらに含む請求項２記載の方法。
【請求項５】
前記報告を送信することは、メディアアクセス制御（ＭＡＣ）の制御エレメントを介して前記報告を配信することを含む請求項２記載の方法。
【請求項６】
前記報告は、バッファステータス報告（ＢＳＲ）であり、前記バンドリングを特定する情報は、前記ユーザ機器におけるバッファステータスに関連する情報に追加される請求項５記載の方法。
【請求項７】
装置において、
ユーザ機器において、データパケットのセットのバンドリングを実行することと、前記バンドリングを実行することに応答して、前記バンドリングを特定する情報を含む報告を発生させることと、前記ユーザ機器から前記ユーザ機器に対するアクティブセット中の非担当基地局に前記報告を伝えることとに関連する命令を保持する少なくとも１つのメモリと、
前記少なくとも１つのメモリに機能的に結合されており、前記少なくとも１つのメモリ中に保持されている命令を実行するように構成されている少なくとも１つのプロセッサとを具備する装置。
【請求項８】
前記伝えることに関連する命令は、周期的な配信またはスケジューリングされた配信を含む配信モードにしたがって、前記報告を送信することに関連する命令を含み、
前記情報は、（ｉ）前記ユーザ機器においてバンドルされたデータパケットの数、または、（ｉｉ）前記ユーザ機器においてバンドルされたデータの量のうちの少なくとも１つを伝え、
前記バンドルされたデータは、前記バンドリングを実行することから結果として生じる請求項７記載の装置。
【請求項９】
前記伝えることに関連する命令は、前記報告を送信するための前記配信モードの表示を前記非担当基地局から受信することに関連する命令をさらに含む請求項８記載の装置。
【請求項１０】
前記伝えることに関連する命令は、イベントベースの配信モードにおける配信条件が満たされている場合に、前記報告を送信することに関連する命令を含む請求項８記載の装置。
【請求項１１】
前記報告を送信することに関連する命令は、メディアアクセス制御（ＭＡＣ）の制御エレメントを介して前記報告を配信することに関連する命令を含む請求項８記載の装置。
【請求項１２】
前記報告は、バッファステータス報告（ＢＳＲ）であり、前記バンドリングを特定する情報は、前記ユーザ機器におけるバッファステータスに関連する情報に追加される請求項１１記載の装置。
【請求項１３】
ワイヤレス通信装置において、
ユーザ機器において、データパケットのセットのバンドリングを実行する手段と、
前記バンドリングを実行することに応答して、前記バンドリングを特定する情報を含む報告を発生させる手段と、
前記ユーザ機器から前記ユーザ機器に対するアクティブセット中の非担当基地局に前記報告を伝える手段とを具備するワイヤレス通信装置。
【請求項１４】
前記伝える手段は、周期的な配信またはスケジューリングされた配信を含む配信モードにしたがって、前記報告を送信する手段を備え、
前記情報は、（Ａ）前記ユーザ機器においてバンドルされたデータパケットの数、または、（Ｂ）前記ユーザ機器においてバンドルされたデータの量のうちの少なくとも１つを伝え、
前記バンドルされたデータは、前記バンドリングを実行することから結果として生じる請求項１３記載のワイヤレス通信装置。
【請求項１５】
前記伝える手段は、前記報告を送信するための前記配信モードの表示を前記非担当基地局から受信する手段をさらに備える請求項１４記載のワイヤレス通信装置。
【請求項１６】
前記伝える手段は、イベントベースの配信モードにおける配信条件が満たされている場合に、前記報告を配信する手段をさらに備える請求項１４記載のワイヤレス通信装置。
【請求項１７】
前記報告を送信する手段は、メディアアクセス制御（ＭＡＣ）の制御エレメントを介して前記報告を配信する手段を備え、前記報告は、バッファステータス報告（ＢＳＲ）であり、前記バンドリングを特定する情報は、前記ユーザ機器におけるバッファステータスに関連する情報に追加される請求項１４記載のワイヤレス通信装置。
【請求項１８】
コンピュータ読取可能記憶媒体において、
少なくとも１つのコンピュータに、ユーザ機器において、データパケットのセットのバンドリングを実行させるためのコードと、
前記バンドリングを実行することに応答して、前記少なくとも１つのコンピュータに、前記バンドリングを特定する情報を含む報告を発生させるためのコードと、
前記少なくとも１つのコンピュータに、前記ユーザ機器から前記ユーザ機器に対するアクティブセット中の非担当基地局に前記報告を伝えさせるためのコードとを含むコンピュータ読取可能記憶媒体。
【請求項１９】
前記コンピュータ読取可能記憶媒体は、前記少なくとも１つのコンピュータに、周期的な配信またはスケジューリングされた配信を含む配信モードにしたがって、前記報告を送信させるためのコードをさらに含み、
前記情報は、（Ｉ）前記ユーザ機器においてバンドルされたデータパケットの数、または、（ＩＩ）前記ユーザ機器においてバンドルされたデータの量のうちの少なくとも１つを伝え、
前記バンドルされたデータは、前記バンドリングを実行することから結果として生じる請求項１８記載のコンピュータ読取可能記憶媒体。
【請求項２０】
前記コンピュータ読取可能記憶媒体は、前記少なくとも１つのコンピュータに、前記報告を送信するための前記配信モードの表示を前記非担当基地局から受信させるためのコードをさらに含む請求項１９記載のコンピュータ読取可能記憶媒体。
【請求項２１】
前記コンピュータ読取可能記憶媒体は、イベントベースの配信モードにおける配信条件が満たされている場合に、前記少なくとも１つのコンピュータに、前記報告を送信させるためのコードをさらに含む請求項１９記載のコンピュータ読取可能記憶媒体。
【請求項２２】
前記コンピュータ読取可能記憶媒体は、前記少なくとも１つのコンピュータに、メディアアクセス制御（ＭＡＣ）の制御エレメントを介して前記報告を配信させるためのコードをさらに含み、前記報告は、バッファステータス報告（ＢＳＲ）であり、前記バンドリングを特定する情報は、前記ユーザ機器におけるバッファステータスに関連する情報に追加される請求項１９記載のコンピュータ読取可能記憶媒体。
【請求項２３】
ワイヤレス通信装置において、
少なくとも１つのプロセッサを具備し、
前記少なくとも１つのプロセッサは、
ユーザ機器において、データパケットのセットのバンドリングを実行するようにと、
前記バンドリングを実行することに応答して、前記バンドリングを特定する情報を含む報告を発生させるようにと、
前記ユーザ機器から前記ユーザ機器に対するアクティブセット中の非担当基地局に前記報告を送信するように構成されており、
前記情報は、前記ユーザ機器においてバンドルされたデータパケットの数と、前記ユーザ機器においてバンドルされたデータの量と、これらの組み合わせとのうちの少なくとも１つを伝え、
前記バンドルされたデータは、前記バンドリングを実行することから結果として生じるワイヤレス通信装置。
【請求項２４】
方法において、
移動体デバイスにおける論理チャネルインデックス（ＬＣＩＤ）ごとのデータの総量を、前記移動体デバイスに対するアクティブセット中の非担当基地局において、前記移動体デバイスから受信することと、
前記移動体デバイスにおいて実行されたデータパケットのセットのバンドリングを特定する報告を、前記移動体デバイスに対するアクティブセット中の非担当基地局において、前記移動体デバイスから受信することと、
前記ＬＣＩＤごとのデータの総量と、前記報告とのうちの少なくとも１つに応答して、前記移動体デバイスに対するアクティブセット中の非担当基地局において、１つ以上の無線リソースをスケジューリングすることとを含む方法。
【請求項２５】
前記受信することは、メディアアクセス制御（ＭＡＣ）の制御エレメントを介して前記報告を獲得することを含む請求項２４記載の方法。
【請求項２６】
前記報告を伝えるための配信モードを選択することと、
前記配信モードの表示を前記移動体デバイスに送信することとをさらに含む請求項２４記載の方法。
【請求項２７】
前記配信モードを選択することは、前記報告の配信の期間を規定する時間間隔を特定すること、または、前記報告の配信に対するスケジュールを規定することを含む請求項２６記載の方法。
【請求項２８】
前記配信モードを選択することは、前記報告の配信をトリガする１つ以上のイベントのセットにおけるイベントが起こるときに、前記１つ以上のイベントのセットを構成することを含む請求項２６記載の方法。
【請求項２９】
前記受信することは、イベントベースの配信モードにおける配信条件が満たされている場合に、前記報告を獲得することを含む請求項２６記載の方法。
【請求項３０】
装置において、
移動体デバイスにおいて実行されたデータパケットのセットのバンドリングを特定する報告を、前記移動体デバイスに対するアクティブセット中の非担当基地局において、前記移動体デバイスから受信することと、少なくとも前記報告に応答して、前記移動体デバイスに対するアクティブセット中の非担当基地局において、１つ以上の無線リソースをスケジューリングすることとに関連する命令を保持する少なくとも１つのメモリと、
前記少なくとも１つのメモリに機能的に結合されており、前記少なくとも１つのメモリ中に保持されている命令を実行するように構成されている少なくとも１つのプロセッサとを具備する装置。
【請求項３１】
前記受信することに関連する命令は、メディアアクセス制御（ＭＡＣ）の制御エレメントを介して前記報告を獲得することに関連する命令を含む請求項３０記載の装置。
【請求項３２】
前記メモリは、前記報告を伝えるための配信モードを選択することに関連する命令と、前記配信モードの表示を前記移動体デバイスに送信することに関連する命令とをさらに保持する請求項３０記載の装置。
【請求項３３】
前記配信モードを選択することに関連する命令は、前記報告の配信の期間を規定する時間間隔を特定することに関連する命令、または、前記報告の配信に対するスケジュールを規定することに関連する命令を含む請求項３２記載の装置。
【請求項３４】
前記配信モードを選択することに関連する命令は、前記報告の配信をトリガする１つ以上のイベントのセットにおけるイベントが起こるときに、前記１つ以上のイベントのセットを構成することに関連する命令を含む請求項３２記載の装置。
【請求項３５】
前記受信することに関連する命令は、イベントベースの配信モードにおける配信条件が満たされている場合に、前記報告を獲得することに関連する命令をさらに含む請求項３２記載の装置。
【請求項３６】
ワイヤレス通信装置において、
移動体デバイスにおける論理チャネルインデックス（ＬＣＩＤ）ごとのデータの総量を前記移動体デバイスから受信する手段と、
前記移動体デバイスにおいて実行されたデータパケットのセットのバンドリングを特定する報告を前記移動体デバイスから受信する手段と、
前記ＬＣＩＤごとのデータの総量と、前記報告とのうちの少なくとも１つに応答して、１つ以上の無線リソースをスケジューリングする手段とを具備し、
前記ワイヤレス通信装置は前記移動体デバイスに対するアクティブセット中の非担当基地局に含まれているワイヤレス通信装置。
【請求項３７】
前記受信する手段は、メディアアクセス制御（ＭＡＣ）の制御エレメントを介して前記報告を獲得する手段を備える請求項３６記載のワイヤレス通信装置。
【請求項３８】
前記報告を伝えるための配信モードを選択する手段と、
前記配信モードの表示を前記移動体デバイスに送信する手段とをさらに具備する請求項３６記載のワイヤレス通信装置。
【請求項３９】
前記配信モードを選択する手段は、前記報告の配信の期間を規定する時間間隔を特定する手段、または、前記報告の配信に対するスケジュールを規定する手段を備える請求項３８記載のワイヤレス通信装置。
【請求項４０】
前記配信モードを選択する手段は、前記報告の配信をトリガする１つ以上のイベントのセットにおけるイベントが起こるときに、前記１つ以上のイベントのセットを構成する手段を備える請求項３８記載のワイヤレス通信装置。
【請求項４１】
前記受信する手段は、イベントベースの配信モードにおける配信条件が満たされている場合に、前記報告を獲得する手段を備える請求項３８記載のワイヤレス通信装置。
【請求項４２】
コンピュータ読取可能記憶媒体において、
少なくとも１つのコンピュータに、移動体デバイスにおいて実行されたデータパケットのセットのバンドリングを特定する報告を、前記移動体デバイスに対するアクティブセット中の非担当基地局において、前記移動体デバイスから受信させるためのコードと、
前記少なくとも１つのコンピュータに、少なくとも前記報告に応答して、前記移動体デバイスに対するアクティブセット中の非担当基地局において、１つ以上の無線リソースをスケジューリングさせるためのコードとを含むコンピュータ読取可能記憶媒体。
【請求項４３】
前記コンピュータ読取可能記憶媒体は、前記少なくとも１つのコンピュータに、メディアアクセス制御（ＭＡＣ）の制御エレメントを介して前記報告を獲得させるためのコードをさらに含む請求項４２記載のコンピュータ読取可能記憶媒体。
【請求項４４】
前記コンピュータ読取可能記憶媒体は、
前記少なくとも１つのコンピュータに、前記報告を伝えるための配信モードを選択させるためのコードと、
前記少なくとも１つのコンピュータに、前記配信モードの表示を前記移動体デバイスに送信させるためのコードとをさらに含む請求項４２記載のコンピュータ読取可能記憶媒体。
【請求項４５】
前記コンピュータ読取可能記憶媒体は、
前記少なくとも１つのコンピュータに、前記報告の配信の期間を規定する時間間隔を特定させるためのコード、または、
前記少なくとも１つのコンピュータに、前記報告の配信に対するスケジュールを規定させるためのコードをさらに含む請求項４４記載のコンピュータ読取可能記憶媒体。
【請求項４６】
前記コンピュータ読取可能記憶媒体は、前記少なくとも１つのコンピュータに、前記報告の配信をトリガする１つ以上のイベントのセットにおけるイベントが起こるときに、前記１つ以上のイベントのセットを構成させるためのコードをさらに含む請求項４４記載のコンピュータ読取可能記憶媒体。
【請求項４７】
前記コンピュータ読取可能記憶媒体は、前記少なくとも１つのコンピュータに、イベントベースの配信モードにおける配信条件が満たされている場合に、前記報告を獲得させるためのコードをさらに含む請求項４４記載のコンピュータ読取可能記憶媒体。
【請求項４８】
ワイヤレス通信装置において、
少なくとも１つのプロセッサを具備し、
前記少なくとも１つのプロセッサは、
移動体デバイスにおける論理チャネルインデックス（ＬＣＩＤ）ごとのデータの総量を前記移動体デバイスから受信するようにと、
前記移動体デバイスにおいて実行されたデータパケットのセットのバンドリングを特定する報告を前記移動体デバイスから受信するようにと、
前記ＬＣＩＤごとのデータの総量と、前記報告とのうちの少なくとも１つに応答して、１つ以上の無線リソースをスケジューリングするように構成され、
前記ワイヤレス通信装置は前記移動体デバイスに対するアクティブセット中の非担当基地局に含まれているワイヤレス通信装置。
【発明の詳細な説明】
【関連出願に対する相互参照】
【０００１】
本出願は、“セルラワイヤレスシステムにおける、バンドルされたデータ量の移動体から基地局への通信を可能にする方法および装置”と題し、２００９年５月６日に出願された米国仮出願シリアル第６１／１７６，０４３号に対して優先権を主張する。前述した出願のすべては、参照によりここに組み込まれている。
【背景】
【０００２】
Ｉ．分野
下記の説明は、一般的に、ワイヤレス通信に関連し、さらに詳細には、電気通信システムにおける、データパケットのバンドリングを特定し、このような情報の通信に応答する情報の通信に関連している。
【０００３】
ＩＩ．関連背景
ワイヤレス通信システムは、例えば、音声、データ等のような、さまざまなタイプの通信コンテンツを提供するために広く採用されている。典型的なワイヤレス通信システムは、使用可能なシステムリソース（例えば、帯域幅および送信電力）を共有することにより、複数のユーザとの通信をサポートする能力を持つ多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびこれらに類するものを含むことができる。追加的に、システムは、第３世代パートナーズシッププロジェクト（３ＧＰＰ）、３ＧＰＰロングタームエボリューション（ＬＴＥ）、ウルトラモバイルブロードバント（ＵＭＢ）、エボリューションデータ最適化（ＥＶ−ＤＯ）のようなマルチキャリアワイヤレス仕様、これらの１つ以上の改訂等のような、仕様に一致させることができる。
【０００４】
一般的に、ワイヤレス多元接続通信システムは、複数のユーザ機器（ＵＥ）に対する通信を同時にサポートできる。各ＵＥは、ワイヤレスリンク、例えばアップリンクまたはダウンリンク上での送信を通して、エアインターフェースにおいて、１つ以上の基地局と通信できる。ダウンリンク（ＤＬ）は、基地局からＵＥへの電気通信リンクのことを指し、アップリンク（ＵＬ）は、ＵＥから基地局への電気通信リンクのことを指している。さらに、ＵＥと基地局との間の通信は、単一入力単一出力（ＳＩＳＯ）システムや、複数入力単一出力（ＭＩＳＯ）システムや、複数入力複数出力（ＭＩＳＯ）システム等を通して、確立できる。加えて、ピアツーピアワイヤレスネットワークコンフィギュレーションにおいて、ＵＥは他のＵＥと通信できる（および／または、基地局は他の基地局と通信できる）。
【０００５】
さまざまなタイプの基地局がＵＥと通信できる。さまざまなタイプの基地局のそれぞれは、異なるセルサイズに関係することができる。事例として、マクロセル基地局は、典型的に、マスト上に、ルーフトップ上に、他の既存の構造上に、またはこれらに類するもの上にインストールされたアンテナを活用する。さらに、マクロセル基地局は、おおよそ１０のワット電力出力を有することが多く、広いエリアに対するカバレッジを提供できる。フェムトセル基地局は、最近登場した別のクラスの基地局である。フェムトセル基地局は、一般的に、住宅または小さい事業環境に対して設計され、ＵＥと、バックホールに対する既存のブロードバンドインターネット接続（例えば、デジタル加入者線（ＤＳＬ）、ケーブル、...）とを通信するために、ワイヤレス技術（例えば、３ＧＰＰユニバーサルモバイルテレコミュニケーションシステム（ＵＭＴＳ）またはＬＴＥ、１ｘエボリューションデータ最適化（１ｘＥＶ−ＤＯ）、...）を使用して、ワイヤレスカバレッジをＵＥに提供できる。フェムトセル基地局はまた、ホーム進化ノードＢ（ＨｅＮＢ）、ホームノードＢ（ＨＮＢ）、フェムトセル、アクセスポイント基地局、またはこれらに類するものとして、呼ぶことができる。他のタイプの基地局の例は、ピコセル基地局、マクロセル基地局等を含む。
【０００６】
基地局のタイプにかかわらず、同時代のワイヤレス通信システムでは、データトラフィックを、データパケットか制御パケットのいずれかであるパケットのストリームとして主に通信する。無線技術の拡張は、増加したデータレートを提供する。実質的には、平凡なＵＥにおいて、より豊富なアプリケーションが可能になるが、このようなＵＥにおけるデータ処理の複雑性は、大量のパケット化されたデータの処理および管理に関する、いくつかの設計およびインプリメンテーションの課題をもたらす。加えて、スペクトル帯域幅中の制約もまた、ＵＥの効率的な動作と、納得のゆくまたは優れた、認められたサービスの品質とを可能にするレベルに、データ（例えば、エンコードされたビット）の量を維持することに関する課題をもたらす。従来のワイヤレス通信システムは、アップリンク（ＵＬ）中で配信されるビットの、容量すなわち量を減少させるメカニズムを活用する；例えば、セルラワイヤレスネットワークでは、データパケットの連結および圧縮が、通信の効率を増加させる。
【０００７】
しかしながら、従来のワイヤレス通信システムでは、圧縮および連結のためのメカニズムがＵＬ中の無線リソースの割り振りに依存しているので、効率性が制限されており、ＵＥにおける配信に利用可能であるデータトラフィック（例えば、ビデオ会議のようなビデオストリーミングによる通話セッションを通して集められたイメージ）が確率的であることから、ＵＥを担当する基地局におけるスケジューラは、連結および圧縮を可能にするために、リソース認可のサイズを推定して、それらの認可を割り振らなくてはならない。したがって、従来のシステムは、典型的に、ＵＬ中にエアリソースを間違って割り振ってしまい、これにより、連結および圧縮の性能を劣化させ、通信効率における劣化が確実になる。
【概要】
【０００８】
このような実施形態の基本的な理解を提供するために、１つ以上の実施形態の簡略化した概要を下記に提示する。この概要は、すべての考えられる実施形態の幅広い概観ではなく、すべての実施形態のキーまたは重要なエレメントを識別することや、何らかの実施形態またはすべての実施形態の範囲を線引きすることを意図していない。その唯一の目的は、後に表されるさらに詳細な記述への前置きとして、１つ以上の実施形態のいくつかの概念を簡略化した形態で提示ことである。
【０００９】
ワイヤレス通信システムにおける、データパケットのバンドリングを特定する情報と、バンドリングに対する応答とに関連して、さまざまな態様を説明する。ユーザ機器（ＵＥ）は、無線リソース認可の割り振りに依存することなく、データパケットのバンドリングを実行する。ＵＥは、少なくとも部分的にバンドリングを特定する情報を含むバンドリング報告を発生させ、バンドリング報告を基地局に送信することができる。情報は、ＵＥにおいてバンドリングされたデータパケットの数；ユーザ機器においてバンドリングされていないデータパケットの数；ＵＥにおいてバンドリングされたデータの量；または、これらの組み合わせを伝えることができる。ＵＥは、予め構成されている（例えば、標準規格化されている）配信モードにしたがって、バンドリング報告を送信できる。追加的に、または、代替的に、ＵＥは、バンドリング報告を送信するための配信モードの表示を基地局から受信することができる。基地局は、バンドリング報告中で伝えられた情報を利用して、無線リソースをスケジューリングできる。
【００１０】
セルラワイヤレスシステムに対して図示しているが、本主題開示の態様は、それに制限されず、パケット化されたデータストリームを利用し、通信リソース（帯域幅、送信時間等）の管理された（例えば、スケジューリングされた）割り振りに依存する、ワイヤレスまたはそうではない、何らかの通信システムにおいて活用できる。加えて、ワイヤレス通信システムに対して、電気通信に対して用いられる特定の無線技術を問わず、ここで記述したさまざまな態様を活用できる。
【００１１】
ここに記述するある態様では、方法を開示する。方法は、ユーザ機器において、データパケットのセットのバンドリングを実行することと；バンドリングを実行することに応答して、バンドリングを少なくとも部分的に特定する情報を含む報告を発生させることと；ユーザ機器から基地局に報告を伝えることとを含む。
【００１２】
関連する態様では、装置をここに開示する。装置は、ユーザ機器において、データパケットのセットのバンドリングを実行することと、バンドリングを実行することに応答して、バンドリングを少なくとも部分的に特定する情報を含む報告を発生させることと、ユーザ機器から基地局に報告を伝えることとに関連する命令を保持する少なくとも１つのメモリを具備する。加えて、装置は、少なくとも１つのメモリに機能的に結合されており、命令を実行するように構成されている少なくとも１つのプロセッサとを具備する。
【００１３】
関連する別の態様において、ワイヤレス通信装置を記述する。ワイヤレス通信装置は、ユーザ機器において、データパケットのセットのバンドリングを実行する手段と；バンドリングを実行することに応答して、バンドリングを少なくとも部分的に特定する情報を含む報告を発生させる手段と；ユーザ機器から基地局に報告を伝える手段とを具備する。
【００１４】
また別の態様では、コンピュータプログラムプロダクトを記述する。コンピュータプログラムプロダクトは、コンピュータ読取可能媒体を含む。コンピュータ読取可能媒体は、少なくとも１つのコンピュータに、ユーザ機器において、データパケットのセットのバンドリングを実行させるためのコードと、バンドリングを実行することに応答して、少なくとも１つのコンピュータに、バンドリングを少なくとも部分的に特定する情報を含む報告を発生させるためのコードと、少なくとも１つのコンピュータに、ユーザ機器から基地局に報告を伝えさせるためのコードとを有する。
【００１５】
ここで開示するさらに別の態様は、ワイヤレス通信装置に関連する。装置は、ユーザ機器において、データパケットのセットのバンドリングを実行する少なくとも１つのプロセッサを具備することができる。加えて、少なくとも１つのプロセッサは、バンドリングを実行することに応答して、バンドリングを少なくとも部分的に特定する情報を含む報告を発生させるように構成されている。情報は、ユーザ機器においてバンドルされたデータパケットの数と、ユーザ機器においてバンドルされたデータの量と、これらの組み合わせとのうちの少なくとも１つを伝える。バンドルされたデータは、バンドリングを実行することから結果として生じる。さらに、少なくとも１つのプロセッサは、ユーザ機器から基地局に報告を送信するように構成できる。
【００１６】
他の態様にしたがった、方法をここに記述する。方法は、移動体デバイスにおける論理チャネルインデックス（ＬＣＩＤ）ごとのデータの総量を移動体デバイスから受信することと；データパケットのセットのバンドリングを少なくとも部分的に特定する報告を移動体デバイスから受信することと；ＬＣＩＤごとのデータの総量と、報告とのうちの少なくとも１つに応答して、１つ以上の無線リソースをスケジューリングすることとを含む。移動体デバイスがバンドリングを実行する。
【００１７】
関連する態様では、装置を記述する。装置は、データパケットのセットのバンドリングを少なくとも部分的に特定する報告を移動体デバイスから受信することに関連する命令を保持する少なくとも１つのメモリを具備する。移動体デバイスが、バンドリングと、少なくとも報告に応答した、１つ以上の無線リソースのスケジューリングとを実行する。装置はまた、少なくとも１つのメモリに機能的に結合されており、少なくとも１つのメモリ中に保持されている命令を実行するように構成されている少なくとも１つのプロセッサを具備する。
【００１８】
追加的な関連する態様では、ワイヤレス通信装置を開示する。ワイヤレス通信装置は、移動体デバイスにおける論理チャネルインデックス（ＬＣＩＤ）ごとのデータの総量を移動体デバイスから受信する手段と、データパケットのセットのバンドリングを少なくとも部分的に特定する報告を移動体デバイスから受信する手段と、ＬＣＩＤごとのデータの総量と、報告とのうちの少なくとも１つに応答して、１つ以上の無線リソースをスケジューリングする手段とを具備する。
【００１９】
さらに関連する態様において、コンピュータプログラムプロダクトを開示する。コンピュータプログラムプロダクトは、コンピュータ読取可能媒体を含む。コンピュータ読取可能媒体は、少なくとも１つのコンピュータに、移動体デバイスにおいて実行されたデータパケットのセットのバンドリングを少なくとも部分的に特定する報告を移動体デバイスから受信させるためのコードと、少なくとも１つのコンピュータに、少なくとも報告に応答して、１つ以上の無線リソースをスケジューリングさせるためのコードとを有する。
【００２０】
またさらに関連する装置では、ワイヤレス通信装置を記述する。ワイヤレス通信装置は、移動体デバイスにおける論理チャネルインデックス（ＬＣＩＤ）ごとのデータの総量を移動体デバイスから受信するように構成されている少なくともプロセッサを含むことができる。加えて、少なくとも１つのプロセッサは、データパケットのセットのバンドリングを少なくとも部分的に特定する報告を移動体デバイスから受信するように構成できる。移動体デバイスが、バンドリングを実行する。さらに、少なくとも１つのプロセッサは、ＬＣＩＤごとのデータの総量と、報告とのうちの少なくとも１つに応答して、１つ以上の無線リソースをスケジューリングするように構成できる。
【００２１】
ここに記述した態様の少なくとも１つの利点は、パケット（データパケットまたは制御パケット）のバンドリングを、無線リソース認可の割り振りに依存することなく行うことができることから、ＵＥにおけるパケット処理の複雑性を減少させることである。少なくとも別の利点は、バンドリング報告中の情報を通して少なくとも部分的に提供されるＵＬ無線リソース割り振りの拡張である。バンドリング報告中の情報は、ＵＥにおいて実行されるパケット（データパケットまたは制御パケット）のバンドリングの特徴と、ＵＥがＵＬ中で送信できるデータの量のその後の知識とを伝える。
【００２２】
前述した目的および関連する目的の達成に向けて、１つ以上の実施形態は、下記に完全に記述し、特に、特許請求の範囲中で指し示す特徴を含む。下記の説明、および、ここで添付した図面は、１つ以上の実施形態のある例示的な態様を詳しく述べる。これらの態様は、さまざまな実施形態の原理を用いることができるさまざまな方法のうちのいくつかを示しているが、記述した実施形態は、このようなすべての態様およびそれらの均等物を含むことを意図している。
【図面の簡単な説明】
【００２３】
【図１】図１は、ここで先述したさまざまな態様にしたがった、ワイヤレス通信システムを図示している。
【図２】図２は、本主題開示の態様にしたがった、データパケットのバンドリングと、その報告とを図示しているダイヤグラムである。
【図３】図３は、本主題開示の態様にしたがった、ワイヤレス通信システムにおける、データパケットのバンドリングとその報告とを可能にして活用する例示的なシステムを図示している。
【図４】図４は、本主題開示の態様にしたがった、ワイヤレス通信システムにおける、バンドリングとその報告とを可能にして活用するユーザ機器の例示的な実施形態を提示している。
【図５】図５は、本主題開示の態様にしたがった、ワイヤレス通信システムにおける、バンドリングとその報告とを可能にして活用する基地局の例示的な実施形態を提示している。
【図６】図６は、ここに記述した態様にしたがった、データパケットのバンドリングの１つ以上の特性を通信するための例示的な方法のフローチャートを提示している。
【図７】図７は、ここに記述した態様にしたがった、データパケットのセットに対して実行されるバンドリングを特徴付ける報告を伝えるための例示的な方法のフローチャートを提示している。
【図８】図８は、ここに記述した態様にしたがった、ワイヤレス通信システムにおける、データパケットのバンドリングを特定する情報に応答するための例示的な方法のフローチャートである。
【図９】図９は、ここに記述した態様にしたがった、ワイヤレス通信システムにおける、データパケットのセットのバンドリングを特定する情報を含む報告を提供する配信モードを構成するための例示的な方法のフローチャートである。
【図１０】図１０は、ここに記述した態様にしたがった、ワイヤレス通信システムにおける、データパケットのバンドリングとその報告とを可能にする例示的なシステムを提示している。
【図１１】図１１は、ここに記述した態様にしたがった、ワイヤレス通信システムにおける、データパケットのバンドリングとその報告とを可能にする例示的なシステムを提示している。
【図１２】図１２は、ここに記述した機能性のさまざまな態様を実現するために利用できる例示的なシステムを図示している。
【図１３】図１３は、ここに記述した機能性のさまざまな態様を実現するために利用できる例示的なシステムを図示している。
【図１４】図１４は、ここに記述したさまざまなシステムおよび方法に関連して用いることができる例示的なワイヤレス通信システムを図示している。
【図１５】図１５は、ここに記述したさまざまなシステムおよび方法に関連して用いることができる例示的なワイヤレス通信システムを図示している。
【詳細な説明】
【００２４】
図面を参照して、特許請求した主題項目のさまざまな態様をこれから記述する。同一の参照番号は、全体を通して同一のエレメントを指すために使用する。下記の記述では、説明の目的として、１つ以上の態様の全体を通した理解を提供するために、多数の特有な詳細を述べている。しかしながら、これらの特有な詳細なしで、このような態様を実施できることは明白である。他の事例では、１つ以上の態様の記述を促進するために、よく知られている構造およびデバイスをブロックダイヤグラムの形態で示している。
【００２５】
本出願中で使用される用語“コンポーネント”、“モジュール”、“システム”、およびこれらに類するものは、コンピュータ関連エンティティや、ハードウェアか、ファームウェアか、ハードウェアとソフトウェアとの組み合わせか、ソフトウェアか、または実行中のソフトウェアかのいずれかを指すことを意図している。例えば、コンポーネントは、これらには限定されないが、プロセッサ上で実行しているプロセス、プロセッサ、集積回路、オブジェクト、実行ファイル、実行のスレッド、プログラム、および／または、コンピュータとすることができる。実例として、コンピューティングデバイス上で実行しているアプリケーションとコンピューティングデバイスとの双方をコンポーネントとすることができる。１つ以上のコンポーネントは、プロセス、および／または、実行のスレッド内に存在することができ、コンポーネントは、１つのコンピュータ上に局所化でき、および／または、２つ以上のコンポーネントとの間に分散させることができる。加えて、これらのコンポーネントは、その上に記憶したさまざまなデータ構造を有するさまざまなコンピュータ読取可能記憶媒体から実行できる。１つ以上のデータパケットを有する信号（例えば、ローカルシステム中で、分散システム中で、および／または、他のシステムを有するインターネットのようなネットワークにわたって、別のコンポーネントと対話している１つのコンポーネントからの、信号としてのデータ）にしたがう、ローカルおよび／または遠隔のプロセスにより、コンポーネントは通信できる。
【００２６】
ここに記述したさまざまな技術は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波分割多元接続（ＳＣ−ＦＤＭＡ）システム、および他のこのようなシステムのような、さまざまなワイヤレス通信システムに対して使用できる。“システム”および“ネットワーク”という用語は、交換可能に使用することが多い。ＣＤＭＡシステムは、ユニバーサル地上波無線アクセス（ＵＴＲＡ）、ＣＤＭＡ２０００等のような、無線技術を実現できる。ＵＴＲＡは、広帯域−ＣＤＭＡ（Ｗ−ＣＤＭＡ）、および、ＣＤＭＡの他の変形を含む。ＣＤＭＡ２０００は、ＩＳ−２０００、ＩＳ−９５、およびＩＳ−８５６の標準規格をカバーしている。ＴＤＭＡシステムは、グローバルシステムフォーモバイルコミュニケーション（ＧＳＭ（登録商標））のような無線技術を実現できる。ＯＦＤＭＡシステムは、進化ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭＡ等のような、無線技術を実現できる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳの次に出るリリースである。Ｅ−ＵＴＲＡは、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ、およびＧＳＭは、“第３世代パートナーズシッププロジェクト”（３ＧＰＰ）という名称の機関からの文書中に記載されている。追加的に、ＣＤＭＡ２０００およびＵＭＢは、“第３世代パートナーズシッププロジェクト２”（３ＧＰＰ２）という名称の機関からの文書中に記載されている。さらに、このようなワイヤレス通信システムは、対ではない許可されていないスペクトルと、８０２．ｘｘワイヤレスＬＡＮと、ブルートゥース（登録商標）と、他の何らかの短距離または長距離のワイヤレス通信技術とを使用することが多い、ピアツーピア（例えば、移動体から移動体）アドホックネットワークシステムを追加的に含むことができる。
【００２７】
単一搬送波周波数分割多元接続（ＳＣ−ＦＤＭＡ）は、単一搬送波変調と周波数ドメイン等化とを利用する。ＳＣ−ＦＤＭＡは、ＯＦＤＭＡシステムのそれらと、類似した性能、および、基本的には同一の全体的な複雑性を有する。ＳＣ−ＦＤＭＡ信号は、その固有の単一搬送波構造のために、より低いピーク対平均電力比（ＰＡＰＲ）を有する。ＳＣ−ＦＤＭＡは、事例として、より低いＰＡＰＲが、送信電力効率の点で、ＵＥの大きな利益となるアップリンク通信において、使用できる。したがって、ＳＣ−ＦＤＭＡは、３ＧＰＰロングタームエボリューション（ＬＴＥ）または進化ＵＴＲＡ（Ｅ−ＵＴＲＡ）における、アップリンク多元接続スキームとして実現できる。
【００２８】
さらに、さまざまな態様を、ユーザ機器（ＵＥ）に関連してここに記述している。ＵＥは、音声および／またはデータ接続性を提供するデバイスのことを指すことができる。ＵＥは、ラップトップコンピュータまたはデスクトップコンピュータのような、コンピューティングデバイスに接続でき、すなわち、ＵＥは、パーソナルデジタルアシスタント（ＰＤＡ）のような自立型デバイスとすることができる。ＵＥは、システム、加入者ユニット、加入者局、移動局、移動体デバイス、遠隔局、遠隔端末、ユーザ端末、端末、ワイヤレス通信デバイス、ユーザエージェント、ユーザデバイス、または、アクセス端末と呼ぶこともできる。ＵＥは、セルラ電話機、コードレス電話機、セッション開始プロトコル（ＳＩＰ）電話機、ワイヤレスローカルループ（ＷＬＬ）局、ＰＤＡ、ワイヤレス接続能力を有するハンドヘルドデバイス、コンピューティングデバイス、または、ワイヤレスモデムに接続されている他の処理デバイスとすることができる。さらに、基地局に関連して、さまざまな態様をここで記述している。基地局は、ＵＥとの通信のために利用でき、また、アクセスポイント、ノードＢ、進化ノードＢ（ｅノードＢ、ｅＮＢ）と呼ぶことができ、または、他の何らかの専門用語で呼ぶことができる。基地局は、エアインターフェースにわたって、１つ以上のセクタを通して、ＵＥと通信する、アクセスネットワーク中のデバイスを指すことができる。基地局は、受信したエアインターフェースフレームをＩＰパケットにコンバートすることにより、ワイヤレス端末とインターネットプロトコル（ＩＰ）ネットワークを含むアクセスネットワークの残りのものとの間のルータとして、アクトすることができる。基地局はまた、エアインターフェースに対する属性の管理を調整できる。
【００２９】
さらに、“または”という用語は、排他的な“または”というよりむしろ、包含的な“または”を意味するように意図されている。すなわち、そうでないことが明記されていない限り、または、文脈から明らかでない限り、フレーズ“ＸがＡまたはＢを用いる”は、自然な包含的順列のうちのいずれかのものを意味するように意図している。すなわち、フレーズ“ＸがＡまたはＢを用いる”は、下記の事例：ＸがＡを用いる；ＸがＢを用いる；または、ＸがＡおよびＢの双方を用いる、のうちのいずれかのものにより満たされる。加えて、本出願および添付した特許請求の範囲中で用いられている、冠詞“ａ”および“ａｎ”は、そうでないことが明記されていない限り、または、単数形を示していることが文脈から明らかでない限り、一般的に、“１つ以上”を意味すると解釈すべきである。さらに、本主題開示において、“セット”という用語は、１つ以上のエンティティのグループのことを指すように意図している；例えば、データパケットのセットは、１つ以上のデータパケットのことを指すように意図している。しかしながら、ここで用いられる用語“サブセット”は、事例として、１つ以上のエンティティのサブセットの開示が、空のサブセットを避けるように意図しているケースのように、そうでないことが留意されていない限り、空のセットを含むことができる。
【００３０】
さらに、ここに記述したさまざまな機能は、ハードウェアで、ソフトウェアで、ファームウェアで、または、これらの任意の組み合わせで実現することができる。ソフトウェアで実現された場合、機能を、１つ以上の命令またはコードとして、コンピュータ読取可能媒体上に記憶させることができ、あるいは、コンピュータ読取可能媒体上で送信することができる。コンピュータ読取可能媒体は、１つの場所から別の場所へのコンピュータプログラムの転送を促進する何らかの媒体を含む、コンピュータ読取可能記憶媒体および通信媒体の双方を含む。記憶媒体は、コンピュータによりアクセスできる何らかの利用可能な媒体とすることができる。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置もしくは他の磁気記憶デバイス、あるいは、特定用途向け集積回路（“ＡＳＩＣ”）のような、コンピュータによりアクセスでき、命令またはデータ構造の形態で所望のプログラムコードを伝送または記憶するために使用できる他の何らかの媒体を含むとすることができる。また、任意の接続は、適切にコンピュータ読取可能媒体と呼ばれる。例えば、ソフトウェアが、同軸ケーブルや、光ファイバケーブルや、撚り対や、デジタル加入者線（ＤＳＬ）や、または赤外線、無線、およびマイクロ波のようなワイヤレス技術を使用して、ウェブサイト、サーバ、または他の遠隔ソースから送信された場合、同軸ケーブルや、光ファイバケーブルや、撚り対や、ＤＳＬや、または赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル汎用ディスク（ＤＶＤ）、フロッピー（登録商標）ディスク、ブルーレイディスク（登録商標）（ＢＤ）を含むが、一般的に、ディスク（ｄｉｓｋ）は、データを磁気的に再生する一方で、ディスク（ｄｉｓｃ）は、データをレーザによって光学的に再生する。上記のものの組み合わせも、コンピュータ読取可能媒体の範囲内に含めるべきである。
【００３１】
多数のデバイス、コンポーネント、モジュール、およびこれらに類するものを含むことができるシステムの観点から、さまざまな態様を提示するだろう。さまざまなシステムは、追加的な、デバイス、コンポーネント、モジュール等を含むことができ、および／または、図面に関連して論じる、デバイス、コンポーネント、モジュール等のうちの１つ以上のものを含む必要がないことを、理解し、正しく認識すべきである。これらのアプローチを組み合わせたものも使用できる。
【００３２】
これから図１を参照すると、ここで提示するさまざまな態様にしたがった、システム１００を図示している。システム１００は、複数のアンテナグループを備えることができる基地局１０２を具備している。例えば、１つのアンテナグループは、アンテナ１０４および１０６を含むことができ、別のグループは、アンテナ１０８および１１０を含むことができ、さらなるグループは、アンテナ１１２および１１４を含むことができる。各アンテナグループに対して、２つのアンテナが図示されているが、各アンテナグループに対して、より多くのアンテナ、または、より少ないアンテナを利用することができる。基地局１０２は、送信機チェーンと受信機チェーンとを追加的に備えることができる。さらに、当業者により正しく認識されるように、送信機チェーンと受信機チェーンとのそれぞれは、信号送信および受信に関係する複数のコンポーネント（プロセッサ、変調器、マルチプレクサ、復調器、デマルチプレクサ、アンテナ等）を備えることができる。
【００３３】
基地局１０２は、ユーザ機器（ＵＥ）１１６およびＵＥ１２２のような１つ以上のＵＥと通信することができるが、基地局１０２は、実質的に、ＵＥ１１６およびＵＥ１２２に類似した任意の数のＵＥと通信できることを正しく認識すべきである。基地局１０２と１つ以上のＵＥとの間の通信は、下記に記述したさまざまな態様にしたがった、パケット（データパケットまたは制御パケット）のバンドリングと、その報告とを含むことができる。ＵＥ１１６およびＵＥ１２２は、例えば、セルラ電話機、スマートフォン、ラップトップ、ハンドヘルド通信デバイス、ハンドヘルドコンピューティングデバイス、衛星ラジオ、グローバルポジショニングシステム、ＰＤＡ、および／または、システム１００を通した通信に適切な他の何らかのデバイスとすることができる。描写されているように、ＵＥ１１６は、アンテナ１１２および１１４と通信中であり、アンテナ１１２および１１４は、ダウンリンク１２０を通してＵＥ１１６に情報を送信し、ダウンリンク１２０を通してＵＥ１１６から情報を受信する。さらに、ＵＥ１２２は、アンテナ１０４および１０６と通信中であり、アンテナ１０４および１０６は、アップリンク１２４を通してＵＥ１２２に情報を送信し、ダウンリンク１２６を通してＵＥ１２２から情報を受信する。周波数分割デュプレックス（ＦＤＤ）システムにおいて、例えば、アップリンク１１８は、ダウンリンク１２０により利用されるものとは異なる周波数帯域を利用でき、アップリンク１２４は、ダウンリンク１２６により用いられるものとは異なる周波数帯域を用いることができる。さらに、時分割デュプレックス（ＴＤＤ）システムにおいて、アップリンク１１８およびダウンリンク１２０は、共通の周波数帯域を利用でき、アップリンク１２４およびダウンリンク１２６は、共通の周波数帯域を利用できる。
【００３４】
アンテナの各グループ、または、これらが通信するように指定されているエリアを、基地局１０２のセクタとして呼ぶことができる。例えば、アンテナグループは、基地局１０２によりカバーされているエリアのセクタ中のＵＥと通信するように設計することができる。アップリンク１１８およびアップリンク１２４を通した通信では、基地局１０２の送信アンテナは、ビーム形成を利用して、ＵＥ１１６およびＵＥ１２２に対するアップリンク１１８およびアップリンク１２４の信号対ノイズ比を改善することができる。また、基地局１０２は、ビーム形成を利用して、関係するカバレッジにわたってランダムに散在しているＵＥ１１６およびＵＥ１２２に送信している間、隣接するセル中のＵＥは、単一のアンテナを通してそのＵＥのすべてに送信する基地局と比較して、より少ない干渉を受ける。
【００３５】
図２は、ワイヤレス通信システムにおける、データパケットのバンドリングと、その報告とを図示しているダイヤグラム２００である。制御パケットのバンドリングと、関連する報告は、実質的に同じ方法で行うことができる。（示されていない）ＵＥ内のバッファ中の第１のセットのデータパケット、例えば、データパケット２１０1〜２１０8は、バンドリングステージ２２０において連結される。従来のワイヤレス通信システムとは対照的に、ＵＥに割り振られる無線リソース認可なしで、このような連結を実行する。バンドリングステージ２２０における、第１のセットのデータパケット２０１1〜２１０8のこのような連結の結果として、例えば、第１のセットのデータパケットよりも複雑ではない（例えば、より小さい）データパケット２３０1〜２３０4のような、第２のセットのデータパケットが生じる。このような連結は、ここでは、第１のセットのデータパケットのバンドリングと呼ぶ。自動的にまたは自主的に、ならびに、オフラインで、バンドリングステージ２２０を実行する。連結は、（示していない）担当基地局から受信する、無線リソースの割り振り、または、制御シグナリングに依存することなく、行われる。加えて、第１のセットのデータパケット中のデータパケットの特有なフォーマットを問わず、バンドリングステージ２２０を実現することができる。加えて、ＵＥは、パケットデータ収束プロトコル（ＰＤＣＰ）レイヤ、または、無線リンク制御（ＲＬＣ）レイヤにおいて（例えば、メディアアクセス制御（ＭＡＣ）レイヤにおいて）、バンドリングステージ２２０を実行できる。データパケットは、例えば、確率的であるバースト中で、ＵＥに動的に到達することから、ＵＥは、都合のよい機会にバンドリングを実行し、したがって、ＵＥが、２つ以上のバッファされたデータパケット（例えば２１０7および２１０8）をバンドルする機会を有さないシナリオにおいては、第１のセットのデータパケットのサブセットは、ＵＥ内のバッファ中でバンドルされないままであることがある；サブセットは、空とすることができ、または、１つ以上のデータパケットを含むことができることを正しく認識すべきである。
【００３６】
バンドリングステージ２２０の実行は、第１のセットのデータパケットのバンドリングのさまざまな態様を伝える情報を含むバンドリング報告２４０の配信を含む。ある実施形態では、バンドリング報告２４０は、バンドルされたデータパケットの数（Ｎ）を伝える情報を含む。本主題開示における１つ以上の事例では、このような情報を、下記において報告ペイロードタイプＩと呼ぶ。別の実施形態では、バンドリング報告２４０は、移動体デバイスにおいて、バンドルされたデータパケット（すなわち、バンドル）の数（Ｎ）と、バンドルされていないデータパケットの数（Ｍ）とを伝える情報を含み、ここで、ＮおよびＭは、０より大きい整数、または、０に等しい。このような実施形態では、ＮおよびＭの合計は、バンドリングを実行するＵＥにおけるバッファのサイズに等しいとすることができる。本主題開示における１つ以上の事例では、このような情報を、下記において報告ペイロードタイプＩＩと呼ぶ。また別の実施形態では、バンドリング報告２４０は、移動体デバイスにおいてバンドルされたデータの量を伝える情報を含む。本主題開示における１つ以上の事例では、このような情報を、報告ペイロードタイプＩＩＩと呼ぶ。さらに別の実施形態では、バンドリング報告２４０は、（ｉ）バンドルされたデータパケット（すなわちバンドル）の数（Ｎ）と；（ｉｉ）移動体デバイスにおいてバンドルされていないデータパケットの数（Ｍ）と；移動体デバイスにおいてバンドルされたデータの量とを組み合わせたものを伝える情報を含む。本主題開示における１つ以上の事例では、このような情報を、報告ペイロードタイプＩＶと呼ぶ。例として、ダイヤグラム２００中に図示されているシナリオにおいて、第１のセットのデータパケットのバンドリングは、２つのバンドルされたデータパケット２３０1および２３０2と、２つのバンドルされていないデータパケット２３０3および２３０4とを含む第２のセットのデータパケットを導く；バンドルされたデータパケットは、ダイヤグラム２００中で、太い実線により表されている。したがって、Ｎ＝２であり、Ｍ＝２である。図示しているように、第１のバンドルされたデータパケット２３０1は、データパケット２１０1、２１０2、および２１０3を含むのに対して、バンドルされていないデータパケット２３０3および２３０4は、それぞれ、データパケット２１０7および２１０8と同一である。報告ペイロードタイプの選択は、例えば、無線電気通信に対する標準規格プロトコルにより命令されるように、静的とすることができ、または、例えば、動作複雑性もしくは動作条件（無線チャネル品質、データトラフィックのタイプ、ネットワーク輻輳等）に少なくとも基づいて決定されるように、動的とすることができる。
【００３７】
バンドリング報告２４０は、ＵＥ中のメディアアクセス制御（ＭＡＣ）レイヤを通して、ＭＡＣの制御エレメント（ＣＥ）を介して、配信することができる。バンドリング報告２４０は、バッファステータス報告（ＢＳＲ）中に具現化することができる。ここで、データパケットのセット（例えば、データパケット２１０1〜２１０8）のバンドリングに関連する情報が、ＵＥ中のバッファのバッファステータスに関連する情報に追加される。代替的に、または、追加的に、バンドリング報告２４０は、新しいタイプの報告中で具現化することができる。例えば、データパケットのセットにおいて実行されたバンドリングを少なくとも部分的に特定する情報の開示専用のバンドリング報告である。
【００３８】
バンドリング報告２４０は、ＵＥに対する（示していない）担当基地局に送信することができるが、バンドリング報告２４０は、ＵＥに関係するセルのアクティブセット内の基地局に送信することができる。；このような配信により、ＵＥが担当基地局からハンドオフされた後に、ここで記述するデータパケットのバンドリングのさまざまな利点を活用できるようになる。バンドリング報告２４０の配信は、エアインターフェースにおけるＵＬを通して成し遂げることができる。バンドリング報告２４０は、周期的に、または、時間スケジュールにしたがって、伝えることができる。追加的に、または、代替的に、バンドリング報告２４０は、イベントベースの配信にしたがって配信することができる。例えば、報告は、特有なイベントが起こることに応答して伝えることができる。ある実施形態では、報告が伝えられる基地局は、移動体デバイスを担当する基地局であるが、報告は、バンドリング報告２４０を伝える移動体に対する基地局のアクティブセットの一部である非担当基地局に伝えることができる。
【００３９】
図３は、ワイヤレスネットワーク環境における、バンドリングとその報告とを可能にして活用する例示的なシステム３００を提示している。ユーザ機器３０２は、上述したように、ＵＥ３０２において（例えば、バッファ３２６内の）データパケットのセットのバンドリングを実行するバンドリングコンポーネント３０４を備える。実行されたバンドリングに基づいて、報告コンポーネント３０８は、報告コンフィギュレーション３２８にしたがってバンドリング報告２４０を発生させることができる。報告コンポーネント３０８は、バンドリング報告２４０を無線コンポーネント３１２に伝えることができ、無線コンポーネント３１２は、エアインターフェースにおけるＵＬ３３１を介して、バンドリング報告２４０を基地局に送信することができる。加えて、報告コンポーネント３０８はまた、論理チャネルインデックス（ＬＣＩＤ）ごとの送信に対して利用可能なデータの量を伝えることができる；例えば、データの量は、ＵＥ３０２内のバッファ、例えば、バッファ３２６との通信に対して利用可能なバイトの総数とすることができる。上述したように、基地局は、担当基地局、または、ＵＥに関係するセルのアクティブセット内の基地局とすることができる。例示的なシステム３００において、バンドリング報告２４０は、基地局３３２に配信される。無線コンポーネント３１２は、アンテナのセットと、さまざまなコンポーネントと、ワイヤレス通信、例えばデータおよびシグナリングのワイヤレス送信とワイヤレス受信とを可能にする関連する回路（フィルタ、増幅器、プロセッサ、変調器、復調器、等）とを含むことができる。図示しているように、無線コンポーネント３１２は、バンドリング報告２４０を配信することができる送信コンポーネント３１４を備えることができる。無線コンポーネント３１２はまた、１つ以上の基地局またはピアデバイスから、データまたはシグナリングを受信することができる受信コンポーネント３１６を備えることができる；例えば、基地局３３２は、ＵＥ３０２に対する担当基地局を具現化できる。
【００４０】
報告コンフィギュレーション３２８は、バンドリング報告２４０中で伝えられることになるバンドリングに関連する情報を確立することができる；例として、報告コンフィギュレーション３２８は、報告ペイロードタイプＩ、報告ペイロードタイプＩＩ、報告ペイロードタイプＩＩＩ、または、報告ペイロードタイプＩＶが伝えられるべきか否かを決定できる。報告コンポーネント３０８は、バッファステータス報告（ＢＳＲ）中に情報をエンコードできる。ここで、データパケットのセット（例えば、データパケット２１０1〜２１０8）のバンドリングに関連する情報は、ＵＥ３０２中のバッファ３２６のバッファステータスに関連する情報に追加される。ある実施形態では、報告コンポーネント３０８は、新しいタイプの報告中に情報をエンコードできる。例えば、データパケットのセット中で実行されたバンドリングを少なくとも部分的に特定する情報の開示専用のバンドリング報告である。
【００４１】
追加的に、報告コンフィギュレーション３２８は、バンドリング報告２４０の送信に対する配信モードを決定してもよい。配信モードは、上述したような、時間ベースの配信（周期的な、スケジューリングされた等）またはイベントベース配信を可能にすることができる。ある実施形態では、基地局により配信モードを構成することができ、配信モードを規定する１つ以上のパラメータを、ＵＥ中で、例えば、メモリ３２４中で、保持することができる。
【００４２】
データおよびシグナリングや、表示または指示や、コード命令や、これらに類するものは、バンドリングコンポーネント３０４と、報告コンポーネント３０８と、無線コンポーネント３１２と、メモリ３２４との間で、バス３３０を通して交換される。バス３３０は、メモリバスで、アドレスバスで、メッセージバスで、または、これらに類するもので具現化できる。
【００４３】
基地局３３２は、無線コンポーネント３４０を通して、バンドリング報告２４０を受信できる。無線コンポーネント３４０は、アンテナのセットと、さまざまなコンポーネントと、ワイヤレス通信、例えばデータおよび制御のワイヤレス送信とワイヤレス受信とを可能にする関連する回路（フィルタ、増幅器、プロセッサ、変調器、復調器、等）とを含む。基地局３３２はまた、ＵＥ３０２におけるＬＣＩＤごとの利用可能なデータの量を受信することができる。無線コンポーネント３４０は、ＵＥ３０２におけるＬＣＩＤごとの利用可能なデータの量、または、バンドリング報告２４０のうちの１つ以上のものを、スケジューラコンポーネント３３６に伝えることができる。ＵＥ３０２におけるＬＣＩＤごとの利用可能なデータの量、または、バンドリング報告２４０のうちの少なくとも１つに応答して、スケジューラコンポーネント３３６は、ＵＥ３０２に対するＵＬ中の１つ以上の無線リソースを割り振る。無線リソースは、リソースエレメント、物理リソースブロック（ＰＲＢ）、送信時間間隔（ＴＴＩ）、またはこれらに類するものを含む。従来のシステムを比較するとき、バンドリング報告２４０に部分的に基づく、無線リソースの割り振りの少なくとも１つの利点は、ＵＬ無線リソースの先行する認可ない状態での、ＵＥにおいてバッファされたデータのバンドリング構造の知識（例えば、バンドルされたデータの量）であり、このことは、スケジューリング処理および関連する認可割り振りと、ＵＬにおける無線リソースの利用とを拡張する。
【００４４】
例示的なシステム３００中で図示しているように、無線コンポーネント３４０は、バンドリング報告２４０と、ＵＥ３０２におけるＬＣＩＤごとの利用可能なデータの量とを受信する受信コンポーネント３４６を備える。無線コンポーネント３４０はまた、データまたはシグナリングを、１つ以上の移動体デバイスまたはユーザ機器、例えば、ＵＥ３０２に配信することができる送信コンポーネント３４４を備える。
【００４５】
コンフィギュレーションコンポーネント３４８は、報告コンフィギュレーション３２８を発生させて配信できる。例として、コンフィギュレーションコンポーネント３４８は、バンドリング報告２４０の配信の期間を規定する時間間隔、または、バンドリング報告２４０の配信のスケジュール、のうちの少なくとも１つを特定できる；コンフィギュレーションコンポーネント３４８は、送信コンポーネント３４４を介して、時間間隔またはスケジュールの値あるいは他のインジケータを、ＵＥ３０２に通信することができる。別の例として、コンフィギュレーションコンポーネント３４８は、グループ中のイベントが起こるときに、バンドリング報告２４０の配信をトリガできる１つ以上のイベントのグループを確立することができる；コンフィギュレーションコンポーネント３４８は、１つ以上のイベントのグループをＵＥ３０２に伝えることができる。報告コンフィギュレーション３２８の発生の一部として、コンフィギュレーションコンポーネント３４８は、データパケットのセット（例えば、２１０1〜２１０8）のバンドリングを少なくとも部分的に特定し、バンドリング報告２４０中で伝えられる情報に対する報告ペイロードタイプ（例えば、上述した、タイプＩ、タイプＩＩ、タイプＩＩＩ、またはタイプＩＶ）を決定することができる。例示的なシナリオでは、１つ以上のイベントのグループは、担当基地局の変更、または、ＵＥ３０２におけるバッファ３２６中にキューされているトラフィックよりも高い優先度を持つデータトラフィックの到来のような、従来のセルラワイヤレスシステムにおけるＢＳＲの配信をトリガするイベントを含むことができる。
【００４６】
ある実施形態では、報告コンフィギュレーション３２８は、ＵＥ３０２を準備するときに、予め定められており（例えば、標準規格化されており）、予め構成されている；例えば、コンフィギュレーションコンポーネント３４８は、報告コンフィギュレーション３２８を無線（ＯＴＡ）で配信することができる。報告コンフィギュレーション３２８は、予め定められており、そして、ＢＳＲが配信される期間と、実質的に同一の期間で、または、同一の期間で、報告コンポーネント３０８に報告ペイロードタイプＩＩＩを周期的に配信させる。加えて、または、代替実施形態において、報告コンフィギュレーション３２８は、ＵＥ３０２が、製造される、または、アセンブリされるときに、メモリ３２４中に記憶させることができ、ＵＥ３０２が準備されるときに、アクティブ化させることができる；このようなシナリオでは、報告コンフィギュレーション３２８は、ＯＴＡで受信されない。代替実施形態において、または、追加的な実施形態において、ＵＥ３０２は、コンフィギュレーションコンポーネント３４８を介して、報告コンフィギュレーション３２８を規定する表示、および、その中のペイロードデータを、基地局３３２から受信できる。受信コンポーネント３１６は、表示を受信し、例えば、表示を検出し、その中のペイロードデータをデコードできる。例において、基地局３３２のＭＡＣレイヤ中のＭＡＣ ＣＥにおいて、表示を伝えることができる。ある態様では、ＵＥ３０２は、例えば報告コンポーネント３０８を介して、報告コンフィギュレーション３２８を規定する表示中で運ばれるさまざまなパラメータの値を、基地局３３２と交渉（例えば、問い合わせ、要求、応答、これらに類するものを含むシグナリングを交換）できる。ある実施形態では、ＵＥ３０２中の専用のコンポーネント（例えば、交渉コンポーネント；示していない）が、報告コンフィギュレーション３２８を交渉できる。
【００４７】
データおよびシグナリングや、表示または指示や、コード命令や、これらに類するものは、スケジューラコンポーネント３３６と、コンフィギュレーションコンポーネント３４８と、無線コンポーネント３４０と、メモリ３５２との間で、バス５１４を通して交換される。バス５１４は、メモリバスで、アドレスバスで、メッセージバスで、または、これらに類するもので具現化できる。
【００４８】
図４は、ワイヤレス通信システムにおける、バンドリングとその報告とを可能にして活用する、ユーザ機器の例示的な実施形態４００を提示している。例示的なシステム４００では、バンドリングコンポーネント３０４および報告コンポーネント３０８は、それぞれ、メモリ３２４中に記憶されている１つ以上のセットのコード命令中に、または、メモリ３２４中に保持されている１つ以上のセットのコード命令中に具現化される。プロセッサ４１０は、上述した態様にしたがって、バンドリングコンポーネント３０４の機能性を実現する少なくとも第１のセットのコード命令を実行できる。加えて、プロセッサ４１０は、上述したさまざまな態様にしたがって、報告コンポーネント３０８の機能性を実現する少なくとも第２のセットのコード命令を実行できる。したがって、プロセッサ４１０は、少なくとも第１のセットのコード命令と少なくとも第２のセットのコード命令との実行を通して、バンドリングコンポーネント３０４および報告コンポーネント３０８の機能性を提供するように構成されている。
【００４９】
加えて、メモリ３２４中に保持されている異なるセットのコード命令の実行を通して、プロセッサ４１０は、上述した態様にしたがって、無線コンポーネント３１２とその中の１つ以上のコンポーネントとを少なくとも部分的に動作させるように構成されている。例えば、プロセッサ４１０は、報告コンフィギュレーション３２８にしたがって、バンドリング報告２４０を送信するように構成されている；プロセッサ４１０は、報告コンフィギュレーション３２８を受信するように構成することができる。ある態様では、報告コンフィギュレーション３２８が、バンドリング報告２４０の配信をトリガできる１つ以上のイベントのグループを確立するシナリオにおいて、プロセッサ４１０は、１つ以上のイベントのグループを監視し、グループ中のイベントが起こる際に、または、グループ中のイベントが起こった後に、バンドリング報告２４０を配信するように構成されている。
【００５０】
プロセッサ４１０は、バス４１４を介して、無線コンポーネント３１２およびメモリ３２４に機能的に結合されている。バス４１４は、メモリバス、アドレスバス、メッセージバス、またはこれらに類するもののうちの１つ以上の中で具現化できる。データおよびシグナリングや、表示または指示や、コード命令や、これらに類するものは、プロセッサ４１０と、メモリ３２４と、無線コンポーネント３１２との間で、バス４１４を通して交換される。
【００５１】
図５は、ワイヤレス通信システムにおける、バンドリングとその報告とを可能にして活用する、基地局の例示的な実施形態５００を提示している。本主題の例示的なシステムでは、スケジューラコンポーネント３３６およびコンフィギュレーションコンポーネント３４８は、メモリ３２４中に記憶されている１つ以上のセットのコード命令中で、それぞれ具現化される。プロセッサ５１０は、上述した態様にしたがって、スケジューラコンポーネント３３６の機能性を実現する少なくとも第１のセットのコード命令を実行することができる。加えて、プロセッサ５１０は、上述したさまざまな態様にしたがって、コンフィギュレーションコンポーネント３４８の機能性を実現する少なくとも第２のセットのコード命令を実行することができる。したがって、プロセッサ５１０は、少なくとも第１のセットのコード命令と少なくとも第２のセットのコード命令との実行を通して、スケジューラコンポーネント３３６およびコンフィギュレーションコンポーネント３４８の機能性を提供するように構成されている。
【００５２】
加えて、メモリ３５２中に保持されている異なるセットのコード命令の実行を通して、プロセッサ５１０は、上述した態様にしたがって、無線コンポーネント３４０とその中の１つ以上のコンポーネントとを少なくとも部分的に動作させるように構成されている。例えば、ある実施形態では、プロセッサ５１０は、報告コンフィギュレーション３２８と、それに関係するさまざまなパラメータとを送信するように構成されている。別の態様では、プロセッサ５１０は、バンドリング報告２４０を受信するように構成することができる；プロセッサ５１０は、報告コンフィギュレーション３２８により規定された配信モードにより命令されたような、バンドリング報告２４０を受信するように構成されている。ある態様では、報告コンフィギュレーション３２８が、バンドリング報告２４０の配信をトリガできる１つ以上のイベントのグループを確立するシナリオにおいて、プロセッサ５１０は、１つ以上のイベントのグループを監視し、グループ中のイベントが起こる際に、または、グループ中のイベントが起こった後に、バンドリング報告２４０を配信するように構成されている。
【００５３】
プロセッサ５１０は、バス５１４を介して、無線コンポーネント３４０およびメモリ３５２に機能的に結合されている。バス５１４は、メモリバス、アドレスバス、メッセージバス、またはこれらに類するもののうちの１つ以上の中で具現化できる。データおよびシグナリングや、表示または指示や、コード命令や、これらに類するものは、プロセッサ５１０と、メモリ３５２と、無線コンポーネント３４０との間で、バス５１４を通して交換される。
【００５４】
図６〜９を参照すると、ワイヤレス通信環境における、パケットのバンドリングの特性を通信することに関連する例示的な方法を図示している。本主題の例示的な方法は、データパケットのバンドリングと、その報告とに向けられているが、制御パケットのバンドリングとその報告とに関連して、同一の方法、または、実質的に同一の方法を実現することができることに留意すべきである。説明の簡略化の目的のために、一連のアクトとして例示的な方法を提示し、記述しているが、いくつかのアクトは、１つ以上の実施形態にしたがうと、ここに示し記述しているものとは異なる順序で、または、他のアクトと同時に、起こることがあるので、例示的な方法は、アクトの順序により限定されないことを、理解し、正しく認識すべきである。例えば、例示的な方法、または、１つ以上の例示的な方法のセットを、状態ダイヤグラム中もしくはコールフロー中のような、一連の相互に関係する状態またはイベントとして、代替的に表すことができることを理解し、正しく認識できる。さらに、１つ以上の実施形態にしたがうと、すべての図示したアクトが、ここに記述した２つ以上の例示的な方法の組み合わせから結果として生じる、例示的な方法または例示的な方法論を実現させる必要はない。
【００５５】
図６は、ワイヤレス通信システムにおける、データパケットのバンドリングの１つ以上の特性を通信するための例示的な方法６００のフローチャートを提示している。アクト６１０において、移動体デバイスで、データパケットのセットのバンドリングが実行される。移動体デバイスがバンドリングを実行する。バンドリングは、ＰＤＣＰレイヤ中で実行することができる。例えば、サービスデータユニット（ＳＤＵ）は、より大きいパケットを形成するようにバンドルできる；例えば、図１参照。追加的な実施形態では、または、代替実施形態では、バンドリングは、ＲＬＣレイヤ中で実行することができる。アクト６２０において、バンドリングを実行することに応答して、データパケットのセットのバンドリングを少なくとも部分的に特定する情報を含む報告を発生させる；移動体デバイスが報告を発生させることができる。上述したように、さまざまな報告ペイロードタイプ（例えば、タイプＩ、タイプＩＩ、タイプＩＩＩ、またはタイプＩＶ）にしたがって、情報を供給できる；したがって、情報は、（ｉ）バンドルされたデータの数；（ｉｉ）移動体デバイスにおいてバンドルされたデータパケットの数およびバンドルされていないデータパケットの数；（ｉｉｉ）移動体デバイスにおいてバンドルされたデータの量のうちの少なくとも１つを伝える。バンドルされたデータは、バンドリングを実行することから結果として生じる。
【００５６】
アクト６３０において、移動体デバイスから基地局に報告（例えば、バンドリング報告２４０）を伝える。報告を伝えることは、メディアアクセス制御（ＭＡＣ）レイヤを通し、ＭＡＣの制御エレメント（ＣＥ）を介して、報告を配信することを含むことができる。ある態様では、報告は、バッファステータス報告（ＢＳＲ）中で具現化することができる。ここで、データパケットのセットのバンドリングに関連する情報は、移動体におけるバッファステータスに関連する情報に追加される。しかしながら、報告は、新しいタイプの報告中で具現化できることに留意すべきである。例えば、データパケットのセット中で実行されたバンドリングを少なくとも部分的に特定する情報の開示専用のバンドリング報告である。加えて、報告を伝えることは、報告を周期的に送信すること、または、時間スケジュールにしたがって報告を送信することを含むことができる。追加的に、または、代替的に、報告を伝えることは、上述したように、イベントベースの配信にしたがって、報告を送信することを含むことができる。ある実施形態では、報告が伝えられる基地局は、移動体デバイスを担当する基地局、または、報告を伝える移動体デバイスに対する基地局のアクティブセットの一部である非担当基地局とすることができる。
【００５７】
アクト６４０において、移動体デバイスにおける論理チャネルインデックス（ＬＣＩＤ）ごとに利用可能なデータの総量を、移動体デバイスから基地局に伝える。論理チャネルインデックス（ＬＣＩＤ）は、例えば、３ＧＰＰＰ ＬＴＥワイヤレスネットワーク、または、３ＧＰＰ ＵＭＴＳワイヤレスネットワークのような、セルラワイヤレスシステムにおける、メディアアクセス制御（ＭＡＣ）レイヤの一部とすることができる複数の論理チャネルのうちの１つを識別する。
【００５８】
図７は、ワイヤレス通信システムにおける、データパケットのセットのバンドリングを特徴付ける報告を伝えるための、例示的な方法７００のフローチャートを提示している。例示的なシナリオでは、本主題の例示的な方法は、アクト６３０の少なくとも一部を具現化できる。アクト７１０において、バンドルされたデータパケットのセットを少なくとも部分的に特徴付ける情報を含む報告（例えば、バンドリング報告２４０）を供給するための配信モードの表示を、基地局から受信する。上述したように、配信モードは、時間ベースの配信（周期的な配信、スケジューリングされた配信等）またはイベントベースの配信のうちの１つとすることができ、基地局は、担当基地局、または、移動体デバイスのアクティブセットの一部である非担当基地局とすることができる。配信モードは、基地局により構成することができ、配信モードを規定する１つ以上のパラメータは、移動体デバイス内のメモリ中に保持することができる。あるシナリオでは、配信モードを構成することは、（ｉ）配信モードを規定する１つ以上のパラメータ、または、（ｉｉ）報告ペイロードタイプ（例えば、タイプＩ、タイプＩＩ、タイプＩＩＩ、タイプＩＶ）のうちの少なくとも１つを、移動体と交渉することを含むことができる。アクト７２０において、配信モードに対する配信条件が満たされているか否かを把握するために、決定が行われる。ある態様では、配信モードは、１つ以上のイベントのグループが、グループ中の少なくとも１つのイベントが起こるときに、報告の配信をトリガするイベントベースの配信モードとすることができる。このようなシナリオでは、少なくとも１つのイベントが起こることを、配信条件とすることができる。１つの実施形態では、決定を行うことは、１つ以上のイベントのグループを規定する報告コンフィギュレーション（例えば３２８）を受信することと、１つ以上のイベントのうちの少なくとも１つを監視することとを含むことができる；報告コンポーネント３０８が監視を実行することができる。アクト７３０において、条件が満たされているときに、少なくとも配信条件にしたがって報告を送信する。
【００５９】
図８は、ワイヤレス通信システムにおける、データパケットのバンドリングを特定する情報に応答するための、例示的な方法８００のフローチャートを提示している。ある実施形態では、本主題の例示的な方法は、バンドリングを実行するＵＥを担当する基地局により行われる。アクト８１０において、ＵＥにおける論理チャネルインデックス（ＬＣＩＤ）ごとの利用可能なデータの総量をＵＥから受信する。アクト８２０において、データパケットのセットのバンドリングを少なくとも部分的に特定する報告を、バンドリングを実行するＵＥから受信する。アクト８３０において、ＬＣＩＤごとのデータの総量、または、報告のうちの少なくとも１つに応答して、１つ以上の無線リソース（リソースエレメント、物理リソースブロック（ＰＲＢ）、送信時間間隔（ＴＴＩ）等）を、ＵＥに対してスケジューリングする。スケジューリングは、バンドリングを実行する移動体デバイスを担当する基地局により行われる。ある態様では、報告中に含まれている情報を活用することにより、アップリンク（ＵＬ）無線リソースをより効率的に利用することができる。
【００６０】
図９は、ワイヤレス通信システムにおける、データパケットのセットのバンドリングを特定する情報を含む報告を提供するように、配信モードを構成するための例示的な方法９００のフローチャートである。アクト９１０において、ユーザ機器（例えば、ＵＥ３０２）おけるデータパケットのセットのバンドリングを特定する報告を伝えるための配信モードを選択する。バンドリングは、ユーザ機器により実行される。ある実施形態では、配信モードを選択することは、報告の配信の期間を規定する時間間隔を特定することを含むことができる。ある態様では、時間間隔は、ユーザ機器におけるバッファステータス報告の配信に対する時間間隔と、同一である、または、実質的に同一であるとすることができる。別の態様では、時間間隔は、ユーザ機器におけるバッファステータス報告の配信に対する時間間隔に対応したものとすることができる。別の実施形態では、配信モードを選択することは、報告の配信に対するスケジュールを規定することを含む；例として、スケジュールは、ユーザ機器を担当する基地局により担当されるセル中のデータトラフィック上の履歴データに基づくことができる。また別の実施形態では、配信モードを選択することは、セット中のイベントが起こるときに、報告の配信をトリガする１つ以上のイベントのセットを構成することを含む。さらに、ある実施形態では、配信モードを選択することは、配信モードを少なくとも部分的に指定する、パラメータのセットおよび報告ペイロードタイプを、ＵＥと交渉することを含むことができる。ある態様では、基地局中のコンポーネント（例えば、（示していない）交渉コンポーネント）が、交渉の少なくとも一部を行うことができる。アクト９２０において、データパケットのセットのバンドリングを実行するユーザ機器に、配信モードの表示を送信する。表示は、ダウンリンク（ＤＬ）制御チャネル中で配信することができる。
【００６１】
ここに記述した１つ以上の態様にしたがうと、ワイヤレス通信環境において、送信に対してＵＥにおいて利用可能なデータパケットのバンドリングを実行することと、バンドリングを報告することとに関係して推測ができることを正しく認識するだろう。例として、動作複雑性、および、動作条件（無線チャネル品質、データトラフィックのタイプ、ネットワーク輻輳等）に関してコスト効率の良い、配信モードまたは報告ペイロードタイプを決定することに向けて推測ができる。ここで使用される用語“推測”する、または、“推測”は、一般的に、イベントおよび／またはデータを介して捕捉されるような観測のセットから、システム、環境、および／またはユーザの状態について推論するプロセス、あるいは、推測するプロセスのことを指す。推測は、例えば、特有なコンテンツまたはアクションを識別するために用いることができ、あるいは、状態にわたる確率分布を発生させることができる。推論は、確率的であるとすることができる−すなわち、データおよびイベントの考慮に基づいた、対象の状態にわたる確率分布の計算である。推論はまた、イベントおよび／またはデータのセットから高レベルのイベントを構成するために用いられる技術のことを指すことができる。このような推測の結果として、イベントが時間的に近くに近接して相関しているか否か、および、イベントおよびデータが、１つまたはいくつかの、イベントとデータ源とから来るか否かにかかわらず、観測されたイベントおよび／または記憶されたイベントデータのセットから、新しいイベントあるいはアクションの構造が生じる。
【００６２】
図１０〜１１は、それぞれ、ワイヤレス通信システムにおける、データパケットのバンドリングとその報告とを可能にする例示的なシステム１０００および１１００を図示している。ある態様では、例示的なシステム１０００は、ユーザ機器内に少なくとも部分的に存在できる。システム１０００は、機能ブロックまたは電子回路を含むように表されており、機能ブロックまたは電子回路は、プロセッサ、ソフトウェア、もしくはそれらを組み合わせたもの（例えば、ファームウェア）により実現される機能を表す機能ブロックとすることができることを正しく認識すべきである。図示しているように、例示的なシステム１０００は、ユーザ機器においてデータパケットのセットのバンドリングを実行するための電子回路（回路としても呼ばれる）１０１０と、バンドリングを少なくとも部分的に特定する情報を含む報告を発生させるための回路１０２０と、ユーザ機器から基地局に報告を伝えるための回路１０３０とを備える。加えて、例示的なシステム１０００は、周期的な配信またはスケジューリングされた配信を含む配信モードにしたがって、報告を送信するための回路１０４０を備える。情報は、（Ａ）バンドルされたデータパケットの数；（Ｂ）ユーザ機器においてバンドルされていないデータパケットの数；または（Ｃ）ユーザ機器においてバンドルされたデータの量のうちの少なくとも１つを伝える。バンドルされたデータは、バンドリングを実行することから結果として生じる。さらに、例示的なシステム１０００は、報告を送信するための配信モードの表示を基地局から受信するための回路１０５０を備える。基地局は、ユーザ機器に対する担当基地局、または、ユーザ機器に対するアクティブセット中の非担当基地局のうちの１つである。さらに、例示的なシステムは、配信モードにより命令される配信条件が満たされている場合に、報告を送信するための回路１０６０を備える。例示的なシステム１０００はまた、メディアアクセス制御（ＭＡＣ）の制御エレメントを介して、報告を配信するための回路１０７０を備える；ある態様では、報告は、バッファステータス報告（ＢＳＲ）であり、バンドリングを少なくとも部分的に特定する情報は、ユーザ機器におけるバッファステータスに関連する情報に追加される。
【００６３】
例示的なシステム１０００はまた、１つ以上のセットのコード命令を保持するメモリ１０８０を備える。１つ以上のセットのコード命令は、記述した回路の一部であるとすることができる（示していない）少なくとも１つのプロセッサにより実行されるときに、ワイヤレス通信環境における、データパケットのバンドリングと、バンドリングへの応答とを特定する情報に関連してここに記述した態様または特徴にしたがって、例示的なシステム１０００の一部である回路の機能性を、実現する、または、可能にする。ある実施形態では、（示していない）少なくとも１つのプロセッサは、例示的なシステム１０００の一部である回路の間で分散させることができる。代替実施形態では、または、追加的な実施形態では、少なくとも１つのプロセッサを、例示的なシステム１０００内で集中化することができる。したがって、メモリ１０８０中に保持されている１つ以上のセットのコード命令は、回路に関係する機能の実行を可能にする。メモリ１０８０の外部にあるように示しているが、回路１０１０、１０２０、１０３０、１０４０、１０５０、１０６０、または１０７０のうちの１つ以上のものが、メモリ１０８０内に存在できることを理解すべきである。メモリ１０８０はまた、上述したように、バンドリング報告（例えば、２４０）に対する配信のモードを伝える報告コンフィギュレーション（例えば、３２８）を保持することができる。
【００６４】
インターフェース１０８５は、例示的なシステム１０００のさまざまな回路の間でのデータ（例えば、コード命令、パラメータ．．．）の交換を可能にする。少なくともこのような目的のために、インターフェース１０８５は、メモリバス、アドレスバス、メッセージバス、ワイヤードリンクまたはワイヤリンク、あるいは、これらに類するもののような、さまざまなアーキテクチャを含むことができる。
【００６５】
例示的なシステム１０００のさまざまな実施形態は、その１つ以上の構造的なバリエーションを通して達成できる。ここで、回路１０１０、１０２０、１０３０、１０４０、１０５０、１０６０、または１０７０のうちの１つ以上のものは、異なる回路中に組み合わされる。例として、回路１０４０は、ＵＥから基地局に報告を伝えるための回路１０３０と組み合わせることができる。別の例として、回路１０７０は、配信モードにより命令される配信条件が満たされる場合に、ＭＡＣの制御エレメントを介して、報告を送信するための回路１０６０と組み合わせることができる。
【００６６】
例示的なシステム１１００は、少なくとも部分的に基地局（例えば、３３２）内に存在することができる。システム１１００は、機能ブロックまたは電子回路を含むように表されており、機能ブロックまたは電子回路は、プロセッサ、ソフトウェア、もしくはそれらを組み合わせたもの（例えば、ファームウェア）により実現される機能を表す機能ブロックとすることができることを正しく認識すべきである。図示しているように、例示的なシステム１１００は、移動体デバイスにおける論理チャネルインデックス（ＬＣＩＤ）ごとのデータの総量を、移動体デバイスから受信するための電子回路（回路としても呼ばれる）１１０５と、データパケットのセットのバンドリングを少なくとも部分的に特定する報告を、移動体デバイスから受信するための回路１１１０と、ＬＣＩＤごとのデータの総量と報告とのうちの少なくとも１つに応答して、１つ以上の無線リソースをスケジューリングするための回路１１１５とを備える。
【００６７】
加えて、例示的なシステム１１００は、メディアアクセス制御（ＭＡＣ）の制御エレメントを介して、報告を獲得するための回路１１２０を備える。さらに、例示的なシステム１１００は、報告を伝えるための配信モードを選択するための回路１１２５と、配信モードの表示を移動体デバイスに送信するための回路１１３０とを備える。さらに、例示的なシステム１１００は、報告の配信の期間を規定する時間間隔を特定するための回路１１３５と、報告の配信に対するスケジュールを規定するための回路１１４０とを備える。またさらに、例示的なシステム１１００は、１つ以上のイベントのセットにおけるイベントが起こるときに、報告の配信をトリガする１つ以上のイベントのセットを構成するための回路１１４５を備える。追加的な実施形態では、または、代替実施形態では、回路１１３５と、回路１１４０と、回路１１４５は、配信モードをＵＥと交渉するための回路を形成するために、組みわせることができる。例示的なシステム１１００はまた、配信モードにより命令される配信条件が満たされている場合に、報告を獲得するための回路１１５０を備える。
【００６８】
例示的なシステム１１００はまた、１つ以上のセットのコード命令を保持するメモリ１１５５を備える。１つ以上のセットのコード命令は、記述した回路の一部とすることができる（示していない）少なくとも１つのプロセッサにより実行されるときに、ワイヤレス通信環境における、データパケットのバンドリングと、バンドリングへの応答とを特定する情報に関連してここに記述した態様または特徴にしたがって、例示的なシステム１１００の一部である回路の機能性を、実現する、または、可能にする。ある実施形態では、（示していない）少なくとも１つのプロセッサは、例示的なシステム１１００の一部である回路の間で分散させることができる。代替実施形態では、または、追加的な実施形態では、少なくとも１つのプロセッサを、例示的なシステム１１００内で集中化することができる。したがって、メモリ１１５５中に保持されている１つ以上のセットのコード命令は、回路に関係する機能の実行を可能にする。メモリ１１５５の外部にあるように示しているが、回路１１０５、１１１０、１１１５、１１２０、１１２５、１１３０、１１３５、１１４０、１１４５、または１１５０のうちの１つ以上のものが、メモリ１１５５内に存在できることを理解すべきである。メモリ１１５５はまた、上述したように、報告コンフィギュレーション、または、バンドリング報告（例えば、２４０）に対する関係する配信モードを規定する、１つ以上のパラメータを保持することができる。
【００６９】
インターフェース１１６０は、例示的なシステム１１００のさまざまな回路の間でのデータ（例えば、コード命令、パラメータ．．．）の交換を可能にする。少なくともこのような目的のために、インターフェース１１６０は、メモリバス、アドレスバス、メッセージバス、ワイヤードリンクまたはワイヤリンク、あるいは、これらに類するもののような、さまざまなアーキテクチャを含むことができる。
【００７０】
図１２は、ここで記述した機能性のさまざまな態様を実現するために利用できる例示的なシステム１２００を図示している。システム１２００は、基地局１２０２（例えば、基地局３３２．．．）を含むことができる。基地局１２０２は、１つ以上の受信（Ｒｘ）アンテナ１２０６を介して、１つ以上のＵＥ１２０４から受信信号を受信でき、１つ以上の送信（Ｔｘ）アンテナ１２０８を介して、１つ以上のＵＥ１２０４に送信することができる。さらに、基地局１２０２は、受信アンテナ１２０６から情報を受信する受信機１２１０を備えることができる。ある例したがうと、受信機１２１０は、受け取った情報を復調する復調器（ｄｅｍｏｄ）１２１２に動作可能に関係することができる。プロセッサ１２１４により、復調シンボルを解析することができる。プロセッサ１２１４は、メモリ１２１６に結合できる。メモリ１２１６は、ＵＥ１２０４に送信するデータまたはＵＥ１２０４から受信するデータ、および／または、ここで述べるさまざまなアクションおよび機能を実行することに関連する、他の何らかの適切なプロトコル、アルゴリズム、情報等を、記憶すなわち保持できる。例えば、基地局１２０２は、プロセッサ１２１４を用いて、例示的な方法８００、例示的な方法９００、および／または、他の類似した適切な例示的な方法を実現することができる。基地局１２０２は、アンテナ１２０８を通した送信機１２２０による送信のために、信号を多重化できる変調器１２１８をさらに備える。
【００７１】
プロセッサ１２１４は、受信機１２１０により受信される情報を解析すること専用のプロセッサ、送信機１２２０による送信に対する情報を発生させること専用のプロセッサ、または、基地局１２０２の１つ以上のコンポーネントを制御すること専用のプロセッサとすることができる。別の例にしたがうと、プロセッサ１２１４は、受信機１２１０により受信された情報を解析し、送信機１２２０による送信に対する情報発生させて、基地局１２０２の１つ以上のコンポーネントを制御することができる。基地局１２０２の１つ以上のコンポーネントは、例えば、スケジュールコンポーネント３３６、コンフィギュレーションコンポーネント３４８、受信コンポーネント３４６、および／または、送信コンポーネント３４４を備えることができる。さらに、示してはいないが、基地局１２０２の１つ以上のコンポーネントは、プロセッサ１２１４の一部であることができ（例えば、図５参照）、または、基地局１２０２内の複数のプロセッサとすることができると考えるべきである。
【００７２】
図１３は、ここに記述した機能性のさまざまな態様を実現するために利用できる例示的なシステム１３００を図示している。システム１３００は、ＵＥ１３０２（例えば、ＵＥ３０２）を備えることができる。ＵＥ１３０２は、１つ以上のアンテナ１３０６を介して、１つ以上の基地局１３０４から信号を受信でき、および／または、１つ以上の基地局１３０４に信号を送信することができる。さらに、ＵＥ１３０２は、アンテナ１３０６から情報を受信する受信機１３０８を備えることができる。ある例にしたがうと、受信機１３０８は、受け取った情報を復調する復調器（ｄｅｍｏｄ）１３１０に動作可能に関係することができる。プロセッサ１３１２により、復調されたシンボルを分析できる。プロセッサ１３１２は、メモリ１３１４に結合できる。メモリ１３１４は、基地局１３０４に送信するデータまたは基地局１３０４から受信するデータ、および／または、ここで述べるさまざまなアクションおよび機能を実行することに関連する、他の何らかの適切なプロトコル、アルゴリズム、情報等を記憶できる。例えば、ＵＥ１３０２は、プロセッサ１３１２を用いて、例示的な方法６００、例示的な方法７００、および／または、データパケットのバンドリングとその報告とを実行するための他の類似した適切な例示的な方法を実現することができる。ＵＥ１３０２は、アンテナ１３０６を通した送信機１３１８による送信のために、信号を多重化できる変調器１３１６をさらに備える。
【００７３】
プロセッサ１３１２は、受信機１３０８により受信される情報を解析すること専用のプロセッサ、送信機１３１８による送信に対する情報を発生させること専用のプロセッサ、または、ＵＥ１３０２の１つ以上のコンポーネントを制御すること専用のプロセッサとすることができる。別の例にしたがうと、プロセッサ１３１２は、受信機１３０８により受信された情報を解析し、送信機１３１８による送信に対する情報を発生させて、ＵＥ１３０２の１つ以上のコンポーネントを制御することができる。ＵＥ１３０２の１つ以上のコンポーネントは、例えば、バンドリングコンポーネント３０４、報告コンポーネント３０８、送信コンポーネント３１４、および／または、受信コンポーネント３１６を備えることができる。さらに、示してはいないが、ＵＥ１３０２の１つ以上のコンポーネントは、プロセッサ１３１２の一部であることができ（例えば、図４参照）、または、（示していない）複数のプロセッサとすることができると考えるべきである。
【００７４】
図１４は、例示的な通信システム１４００を提示している。簡潔にするために、例示的な通信システム１４００は、１つの基地局１４１０と、１つのＵＥ１４５０とを描写している。しかしながら、例示的なワイヤレス通信システム１４００は、１つより多い基地局、および／または、１つより多いＵＥを備えることができ、追加的な、基地局および／またはＵＥは、下記に記述する例示的な基地局１４１０およびＵＥ１４５０に、実質的に類似しているか、または、例示的な基地局１４１０およびＵＥ１４５０とは異なっているとすることができることを、正しく認識すべきである。加えて、基地局１４１０および／またはＵＥ１４５０は、ここに記述した、システム（例えば、図１、３〜５、および１０〜１３）、および／または、方法（図６〜９）を用いて、その間でのワイヤレス通信を可能にすることができることを正しく認識すべきである。
【００７５】
基地局１４１０において、多数のデータストリーム対するトラフィックデータが、データ源１４１２から送信（ＴＸ）データプロセッサ１４１４に提供される。例にしたがうと、各データストリームは、それぞれのアンテナを介して送信できる。ＴＸデータプロセッサ１４１４は、そのデータストリームに対して選択された特定のコーディングスキームに基づいて、トラフィックデータストリームを、フォーマット化し、コード化し、インターリーブして、コード化したデータを提供する。
【００７６】
各データストリームに対してコード化されたデータは、直交周波数分割多重化（ＯＦＤＭ）技術を使用して、パイロットデータにより多重化できる。追加的に、または、代替的に、パイロットシンボルは、周波数分割多重化（ＦＤＭ）でき、時分割多重化（ＣＤＭ）でき、または、コード分割多重化（ＣＤＭ）できる。パイロットデータは、典型的に、知られている方法において処理され知られているデータパターンであり、ＵＥ１４５０において、チャネル応答を推定するために使用できる。各データストリームに対する、多重化されたパイロットとコード化されたデータは、そのデータストリームに対して選択された特定の変調スキーム（例えば、２位相シフトキーイング（ＢＰＣＫ）、直角位相シフトキーイング（ＱＰＣＫ）、Ｍ位相シフトキーイング（Ｍ−ＰＳＫ）、Ｍ位相振幅変調（Ｍ−ＱＡＭ）等）に基づいて、変調（例えば、シンボルマッピング）され、変調シンボルを提供できる。各データストリームに対する、データレート、コーディング、変調は、プロセッサ１４３０によって実行または提供される命令により決定できる。
【００７７】
データストリームのための変調シンボルをＴＸ ＭＩＭＯプロセッサ１４２０に提供することができる。ＴＸ ＭＩＭＯプロセッサ１４２０は、（例えば、ＯＦＤＭのために）変調シンボルをさらに処理することができる。ＴＸ ＭＩＭＯプロセッサ１４２０は、その後、ＮT個の送信機（ＴＭＴＲ）１４２２ａないし１４２２ｔに、ＮT個の変調シンボルストリームを提供する。さまざまな実施形態では、ＴＸ ＭＩＭＯプロセッサ１４２０は、データストリームのシンボルと、シンボルが送信されるアンテナとにビーム形成重みを適用する。
【００７８】
各送信機１４２２は、それぞれのシンボルストリームを受信して処理し、１つ以上のアナログ信号を提供して、アナログ信号をさらに調整（例えば、増幅、フィルタリング、アップコンバート）し、ＭＩＭＯチャネルにわたる送信に適切な変調された信号を提供する。さらに、送信機１４２２ａないし１４２２ｔからのＮT個の変調信号は、それぞれ、ＮT本のアンテナ１４２４ａないし１４２４ｔから送信される。
【００７９】
ＵＥ１４５０において、ＮR本のアンテナ１４５２ａないし１４５２ｒにより、送信された変調信号を受信し、アンテナ１４５２ａ〜１４５２ｒのグループ中の各アンテナから受信された信号は、それぞれの受信機（ＲＣＶＲ）１４５４ａないし１４５４ｒに提供される。各受信機１４５４は、それぞれの信号を調整（例えば、フィルタリング、増幅、およびダウンコンバート）し、調整した信号をデジタル化してサンプルを提供し、サンプルをさらに処理して、対応する“受信”シンボルストリームを提供する。
【００８０】
ＲＸデータプロセッサ１４６０は、特定の受信機処理技術に基づいて、ＮR個の受信機１４５４からＮR個の受信シンボルストリームを受け取って処理し、ＮT個の“検出”シンボルストリームを提供できる。ＲＸデータプロセッサ１４６０は、各検出シンボルストリームを変調し、デインターリーブし、デコードして、データストリームに対するトラフィックデータを復元できる。ＲＸデータプロセッサ１４６０による処理は、基地局１４１０における、ＴＸ ＭＩＭＯプロセッサ１４２０およびＴＸデータプロセッサ１４１４より実行されるものに対して相補的である。
【００８１】
プロセッサ１４７０は、上記で論じたように、いずれの利用可能な技術を利用するかを周期的に決定できる。さらに、プロセッサ１４７０は、行列インデックス部分とランク値部分とを含むアップリンクメッセージを構築することができる。
【００８２】
アップリンクメッセージは、電気通信リンクおよび／または受信データストリームに関連した、さまざまなタイプの情報を含むことができる。ＴＸデータプロセッサ１４３８により、アップリンクメッセージを処理することができる。また、変調器１４８０により変調され、送信機１４５４ａないし１４５４ｒにより調整され、基地局１４１０に送り返される、多数のデータストリームに対するトラフィックデータを、ＴＸデータプロセッサ１４３８はデータ源１４３６から受信する。
【００８３】
基地局１４１０において、ＵＥ１４５０からの変調信号を、アンテナ１４２４により受信し、受信機１４２２により調整し、復調器１４４０により復調し、ＲＸデータプロセッサ１４４２により処理して、ＵＥ１４５０により送信されたアップリンクメッセージを導出する。さらに、プロセッサ１４３０は、導出したメッセージを処理して、ビーム形成重みを決定するためにいずれのプリコーディング行列を使用するかを決定できる。
【００８４】
プロセッサ１４３０および１４７０は、基地局１４１０およびＵＥ１４５０における動作を、それぞれ命令（例えば、制御、調整、管理等）できる。それぞれのプロセッサ１４３０および１４７０は、プログラムコードおよびデータを記憶するメモリ１４３２および１４７２に関係するとすることができる。プロセッサ１４３０および１４７０はまた、計算を実行して、アップリンクおよびダウンリンクそれぞれに対する、周波数およびインパルス応答推定を得ることができる。
【００８５】
図１５は、本主題開示のさまざまな態様を実現または活用もできる例示的なワイヤレス通信システムを図示している。図１５中に示しているように、システム１５００は、複数のアクセスポイント基地局、あるいは、代替実施形態では、例えば、ＨＮＢ１５０のような、フェムトセル、ホームノードＢユニット（ＨＮＢ）、またはホーム進化ノードＢユニット（ＨｅＮＢ）を含み、それぞれは、例えば、１つ以上のユーザの住宅１５３０中のような、対応する小さいスケールのネットワーク環境中でインストールされており、関係するユーザ機器（ＵＥ）または移動局１５２０とともに、エイリアンユーザ機器（ＵＥ）または移動局１５２０を担当するように構成されている。各ＨＮＢ１５１０は、（示していない）ＤＳＬルータ、または、代替的には、（示していない）ケーブルモデムを介して、インターネット１５４０および移動体運営者コアネットワーク１５５０にさらに結合されている。
【００８６】
開示したプロセスにおけるステップの特有な順序または階層が、例示的なアプローチの例であることを理解すべきである。設計選択に基づいて、プロセスにおけるステップの特有な順序または階層は、本開示の範囲内である限り、再構成してもよいことを理解すべきである。添付している方法の請求項は、サンプルの順序におけるさまざまなステップのエレメントを提示しており、提示した特有な順序または階層に限定されることを意味していない。
【００８７】
当業者は、さまざまな異なる技術および技法のうちの任意のものを使用して、情報および信号を表してもよいことを理解するであろう。例えば、上記の記述全体を通して参照されうるデータ、命令、コマンド、情報、信号、ビット、シンボル、およびチップは、電圧、電流、電磁波、磁界または磁粒、光界または光粒、あるいは、これらの任意の組み合わせたものにより表してもよい。
【００８８】
ここで開示した実施形態に関連して記述した、さまざまな例示的な論理ブロック、モジュール、回路およびアルゴリズムステップを、電子ハードウェア、コンピュータソフトウェア、または、双方を組み合わせたものとして実現してもよいことを、当業者はさらに正しく認識するであろう。ハードウェアおよびソフトウェアのこの交換可能性を明確に示すために、さまざまな例示的なコンポーネント、ブロック、モジュール、回路、およびステップを、概してこれらの機能性に関して上述した。このような機能性がハードウェアまたはソフトウェアとして実現されるか否かは、特定の応用、および、システム全体に課せられた設計の制約に依存する。熟練者は、それぞれの特定の応用に対して変化する方法で、記述した機能性を実現してもよいが、そのような実現の決定は、本開示の範囲からの逸脱を生じさせるものとして解釈されるべきではない。
【００８９】
ここで記述した態様は、ハードウェアで、ソフトウェアで、ファームウェアで、ミドルウェアで、またはこれらの任意の組み合わせで実現できることを理解すべきである。ハードウェアインプリメンテーションにおいて、１つ以上の、特定用途向け集積回路（ＡＳＩＣ）、デジタル信号プロセッサ（ＤＳＰ）、デジタル信号処理デバイス（ＤＳＰＤ）、プログラム可能論理デバイス（ＰＬＤ）、現場プログラム可能ゲートアレイ（ＦＰＧＡ）、プロセッサ、制御装置、マイクロ制御装置、マイクロプロセッサ、ここに記述した機能を実行するように設計されている他の電子ユニット、またはこれらの組み合わせ内で、処理ユニットを実現することができる。
【００９０】
実施形態を、ソフトウェアで、ファームウェアで、ミドルウェアで、または、マイクロコード、プログラムコード、もしくはコードセグメントで実現するときに、記憶コンポーネントのような機械読取可能記憶媒体中にこれらを記憶させることができる。コードセグメントは、手順、機能、サブプログラム、プログラム、ルーチン、サブルーチン、モジュール、ソフトウェアパッケージ、クラス、または、命令、データ構造、もしくはプログラムステートメントの任意の組み合わせを表すことができる。情報、データ、引き数、パラメータ、またはメモリコンテンツをパスおよび／または受信することにより、コードセグメントを別のコードセグメントまたはハードウェア回路に結合することができる。メモリ共有や、メッセージパッシングや、トーケンパッシングや、ネットワーク送信等を含む何らかの適切な手段を使用して、情報、引き数、パラメータ、データ等をパス、転送、または送信できる。
【００９１】
ソフトウェアインプリメンテーションにおいて、ここで記述した機能を実行するモジュール（例えば、手順、機能等）により、ここで記述した技術を実現できる。ソフトウェアコードは、メモリユニット中で記憶すなわち保持でき、プロセッサにより実行できる。メモリユニットは、プロセッサ内で、または、プロセッサの外部で実現でき、このケースでは、メモリユニットは、技術的に知られているさまざまな手段を介して、プロセッサに通信可能に結合されているとすることができる。
【００９２】
ここで開示した実施形態に関連して記述した方法またはアルゴリズムのステップおよび／またはアクトは、ハードウェアで、プロセッサにより実行されるソフトウェアモジュールで、あるいは、双方を組み合わせたもので直接的に具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている他の何らかの形態の記憶媒体中に存在していてもよい。例示的な記憶媒体は、プロセッサが記憶媒体から情報を読み取り、記憶媒体に情報を書き込むことができるようにプロセッサに結合されている。代替実施形態では、記憶媒体はプロセッサと一体化されていてもよい。プロセッサおよび記憶媒体は、ＡＳＩＣ中に存在していてもよい。ＡＳＩＣは、ユーザ端末中に存在していてもよい。代替実施形態では、プロセッサおよび記憶媒体は、ディスクリートコンポーネントとしてユーザ端末中に存在していてもよい。
【００９３】
上述しているものは、１つ以上の実施形態の例を含んでいる。もちろん、前述した態様を記述する目的のためにコンポーネントまたは方法論のすべての考えられる組み合わせを記述することは不可能であるが、当業者は、さまざまな態様の多くのさらなる組み合わせおよび置換が可能であることを認識できる。したがって、記述した態様は、添付する特許請求の範囲の精神および範囲内にあるすべてのこのような変更、修正、およびバリエーションを含むことを意図している。さらに、“含む”という用語が詳細な説明または特許請求の範囲のいずれかの中で使用される限り、このような用語は、請求項中の移行語として用いられるときに“具備する”が解釈されるように、“具備する”という用語に類似して包括的であることを意図されている。
以下に、本願出願の当初の特許請求の範囲に記載された発明を付記する。
［１］方法において、
ユーザ機器において、データパケットのセットのバンドリングを実行することと、
前記バンドリングを実行することに応答して、前記バンドリングを少なくとも部分的に特定する情報を含む報告を発生させることと、
前記ユーザ機器から基地局に前記報告を伝えることとを含む方法。
［２］前記伝えることは、周期的な配信またはスケジューリングされた配信を含む配信モードにしたがって、前記報告を送信することを含み、
前記情報は、（ｉ）前記ユーザ機器においてバンドルされたデータパケットの数、または、（ｉｉ）前記ユーザ機器においてバンドルされたデータの量のうちの少なくとも１つを伝え、
前記バンドルされたデータは、前記バンドリングを実行することから結果として生じる［１］記載の方法。
［３］前記伝えることは、前記報告を送信するための前記配信モードの表示を前記基地局から受信することをさらに含み、
前記基地局は、前記ユーザ機器に対する担当基地局、または、前記ユーザ機器に対するアクティブセット中の非担当基地局のうちの１つである［２］記載の方法。
［４］前記伝えることは、イベントベースの配信モードにおける配信条件が満たされている場合に、前記報告を送信することをさらに含む［２］記載の方法。
［５］前記報告を送信することは、メディアアクセス制御（ＭＡＣ）の制御エレメントを介して前記報告を配信することを含む［２］記載の方法。
［６］前記報告は、バッファステータス報告（ＢＳＲ）であり、前記バンドリングを少なくとも部分的に特定する情報は、前記ユーザ機器におけるバッファステータスに関連する情報に追加される［５］記載の方法。
［７］装置において、
ユーザ機器において、データパケットのセットのバンドリングを実行することと、前記バンドリングを実行することに応答して、前記バンドリングを少なくとも部分的に特定する情報を含む報告を発生させることと、前記ユーザ機器から基地局に前記報告を伝えることとに関連する命令を保持する少なくとも１つのメモリと、
前記少なくとも１つのメモリに機能的に結合されており、前記少なくとも１つのメモリ中に保持されている前記命令を実行するように構成されている少なくとも１つのプロセッサとを具備する装置。
［８］前記伝えることに関連する命令は、周期的な配信またはスケジューリングされた配信を含む配信モードにしたがって、前記報告を送信することに関連する命令を含み、
前記情報は、（ｉ）前記ユーザ機器においてバンドルされたデータパケットの数、または、（ｉｉ）前記ユーザ機器においてバンドルされたデータの量のうちの少なくとも１つを伝え、
前記バンドルされたデータは、前記バンドリングを実行することから結果として生じる［７］記載の装置。
［９］前記伝えることに関連する命令は、前記報告を送信するための前記配信モードの表示を前記基地局から受信することに関連する命令をさらに含み、
前記基地局は、前記ユーザ機器に対する担当基地局、または、前記ユーザ機器に対するアクティブセット中の非担当基地局のうちの１つである［８］記載の装置。
［１０］前記伝えることに関連する命令は、イベントベースの配信モードにおける配信条件が満たされている場合に、前記報告を送信することに関連する命令を含む［８］記載の装置。
［１１］前記報告を送信することに関連する命令は、メディアアクセス制御（ＭＡＣ）の制御エレメントを介して前記報告を配信することに関連する命令を含む［８］記載の装置。
［１２］前記報告は、バッファステータス報告（ＢＳＲ）であり、前記バンドリングを少なくとも部分的に特定する情報は、前記ユーザ機器におけるバッファステータスに関連する情報に追加される［１１］記載の装置。
［１３］ワイヤレス通信装置において、
ユーザ機器において、データパケットのセットのバンドリングを実行する手段と、
前記バンドリングを実行することに応答して、前記バンドリングを少なくとも部分的に特定する情報を含む報告を発生させる手段と、
前記ユーザ機器から基地局に前記報告を伝える手段とを具備するワイヤレス通信装置。
［１４］前記伝える手段は、周期的な配信またはスケジューリングされた配信を含む配信モードにしたがって、前記報告を送信する手段を備え、
前記情報は、（Ａ）前記ユーザ機器においてバンドルされたデータパケットの数、または、（Ｂ）前記ユーザ機器においてバンドルされたデータの量のうちの少なくとも１つを伝え、
前記バンドルされたデータは、前記バンドリングを実行することから結果として生じる［１３］記載のワイヤレス通信装置。
［１５］前記伝える手段は、前記報告を送信するための前記配信モードの表示を前記基地局から受信する手段をさらに備え、
前記基地局は、前記ユーザ機器に対する担当基地局、または、前記ユーザ機器に対するアクティブセット中の非担当基地局のうちの１つである［１４］記載のワイヤレス通信装置。
［１６］前記伝える手段は、イベントベースの配信モードにおける配信条件が満たされている場合に、前記報告を配信する手段をさらに備える［１４］記載のワイヤレス通信装置。
［１７］前記報告を送信する手段は、メディアアクセス制御（ＭＡＣ）の制御エレメントを介して前記報告を配信する手段を備え、前記報告は、バッファステータス報告（ＢＳＲ）であり、前記バンドリングを少なくとも部分的に特定する情報は、前記ユーザ機器におけるバッファステータスに関連する情報に追加される［１４］記載のワイヤレス通信装置。
［１８］コンピュータプログラムプロダクトにおいて、
コンピュータ読取可能媒体を含み、
前記コンピュータ読取可能媒体は、
少なくとも１つのコンピュータに、ユーザ機器において、データパケットのセットのバンドリングを実行させるためのコードと、
前記バンドリングを実行することに応答して、前記少なくとも１つのコンピュータに、前記バンドリングを少なくとも部分的に特定する情報を含む報告を発生させるためのコードと、
前記少なくとも１つのコンピュータに、前記ユーザ機器から基地局に前記報告を伝えさせるためのコードとを有するコンピュータプログラムプロダクト。
［１９］前記コンピュータ読み取り可能媒体は、前記少なくとも１つのコンピュータに、周期的な配信またはスケジューリングされた配信を含む配信モードにしたがって、前記報告を送信させるためのコードをさらに含み、
前記情報は、（Ｉ）前記ユーザ機器においてバンドルされたデータパケットの数、または、（ＩＩ）前記ユーザ機器においてバンドルされたデータの量のうちの少なくとも１つを伝え、
前記バンドルされたデータは、前記バンドリングを実行することから結果として生じる［１８］記載のコンピュータプログラムプロダクト。
［２０］前記コンピュータ読取可能媒体は、前記少なくとも１つのコンピュータに、前記報告を送信するための前記配信モードの表示を前記基地局から受信させるためのコードをさらに含み、
前記基地局は、前記ユーザ機器に対する担当基地局、または、前記ユーザ機器に対するアクティブセット中の非担当基地局のうちの１つである［１９］記載のコンピュータプログラムプロダクト。
［２１］前記コンピュータ読取可能媒体は、イベントベースの配信モードにおける配信条件が満たされている場合に、前記少なくとも１つのコンピュータに、前記報告を送信させるためのコードをさらに含む［１９］記載のコンピュータプログラムプロダクト。
［２２］前記コンピュータ読取可能媒体は、前記少なくとも１つのコンピュータに、メディアアクセス制御（ＭＡＣ）の制御エレメントを介して前記報告を配信させるためのコードをさらに含み、前記報告は、バッファステータス報告（ＢＳＲ）であり、前記バンドリングを少なくとも部分的に特定する情報は、前記ユーザ機器におけるバッファステータスに関連する情報に追加される［１９］記載のコンピュータプログラムプロダクト。
［２３］ワイヤレス通信装置において、
少なくとも１つのプロセッサを具備し、
前記少なくとも１つのプロセッサは、
ユーザ機器において、データパケットのセットのバンドリングを実行し、
前記バンドリングを実行することに応答して、前記バンドリングを少なくとも部分的に特定する情報を含む報告を発生させ、
前記ユーザ機器から基地局に前記報告を送信するように構成されており、
前記情報は、前記ユーザ機器においてバンドルされたデータパケットの数と、前記ユーザ機器においてバンドルされたデータの量と、これらの組み合わせとのうちの少なくとも１つを伝え、
前記バンドルされたデータは、前記バンドリングを実行することから結果として生じるワイヤレス通信装置。
［２４］方法において、
移動体デバイスにおける論理チャネルインデックス（ＬＣＩＤ）ごとのデータの総量を前記移動体デバイスから受信することと、
データパケットのセットのバンドリングを少なくとも部分的に特定する報告を前記移動体デバイスから受信することと、
前記ＬＣＩＤごとのデータの総量と、前記報告とのうちの少なくとも１つに応答して、１つ以上の無線リソースをスケジューリングすることとを含み、
前記移動体デバイスがバンドリングを実行する方法。
［２５］前記受信することは、メディアアクセス制御（ＭＡＣ）の制御エレメントを介して前記報告を獲得することを含む［２４］記載の方法。
［２６］前記報告を伝えるための配信モードを選択することと、
前記配信モードの表示を前記移動体デバイスに送信することとをさらに含む［２４］記載の方法。
［２７］前記配信モードを選択することは、前記報告の配信の期間を規定する時間間隔を特定すること、または、前記報告の配信に対するスケジュールを規定することを含む［２６］記載の方法。
［２８］前記配信モードを選択することは、１つ以上のイベントのセットにおけるイベントが起こるときに、前記報告の配信をトリガする１つ以上のイベントのセットを構成することを含む［２６］記載の方法。
［２９］前記受信することは、イベントベースの配信モードにおける配信条件が満たされている場合に、前記報告を獲得することを含む［２６］記載の方法。
［３０］装置において、
データパケットのセットのバンドリングを少なくとも部分的に特定する報告を移動体デバイスから受信することと、少なくとも前記報告に応答して、１つ以上の無線リソースのスケジューリングすることとに関連する命令を保持する少なくとも１つのメモリと、
前記少なくとも１つのメモリに機能的に結合されており、前記少なくとも１つのメモリ中に保持されている命令を実行するように構成されている少なくとも１つのプロセッサとを具備し、
前記移動体デバイスがバンドリングを実行する装置。
［３１］前記受信することに関連する命令は、メディアアクセス制御（ＭＡＣ）の制御エレメントを介して前記報告を獲得することに関連する命令を含む［３０］記載の装置。
［３２］前記メモリは、前記報告を伝えるための配信モードを選択することに関連する命令と、前記配信モードの表示を前記移動体デバイスに送信することに関連する命令とをさらに保持する［３０］記載の装置。
［３３］前記配信モードを選択することに関連する命令は、前記報告の配信の期間を規定する時間間隔を特定することに関連する命令、または、前記報告の配信に対するスケジュールを規定することに関連する命令を含む［３２］記載の装置。
［３４］前記配信モードを選択することに関連する命令は、１つ以上のイベントのセットにおけるイベントが起こるときに、前記報告の配信をトリガする１つ以上のイベントのセットを構成することに関連する命令を含む［３２］記載の装置。
［３５］前記受信することに関連する命令は、イベントベースの配信モードにおける配信条件が満たされている場合に、前記報告を獲得することに関連する命令をさらに含む［３２］記載の装置。
［３６］ワイヤレス通信装置において、
移動体デバイスにおける論理チャネルインデックス（ＬＣＩＤ）ごとのデータの総量を前記移動体デバイスから受信する手段と、
データパケットのセットのバンドリングを少なくとも部分的に特定する報告を前記移動体デバイスから受信する手段と、
前記ＬＣＩＤごとのデータの総量と、前記報告とのうちの少なくとも１つに応答して、１つ以上の無線リソースをスケジューリングする手段とを具備するワイヤレス通信装置。
［３７］前記受信する手段は、メディアアクセス制御（ＭＡＣ）の制御エレメントを介して前記報告を獲得する手段を備える［３６］記載のワイヤレス通信装置。
［３８］前記報告を伝えるための配信モードを選択する手段と、
前記配信モードの表示を前記移動体デバイスに送信する手段とをさらに具備する［３６］記載のワイヤレス通信装置。
［３９］前記配信モードを選択する手段は、前記報告の配信の期間を規定する時間間隔を特定する手段、または、前記報告の配信に対するスケジュールを規定する手段を備える［３８］記載のワイヤレス通信装置。
［４０］前記配信モードを選択する手段は、１つ以上のイベントのセットにおけるイベントが起こるときに、前記報告の配信をトリガする１つ以上のイベントのセットを構成する手段を備える［３８］記載のワイヤレス通信装置。
［４１］前記受信する手段は、イベントベースの配信モードにおける配信条件が満たされている場合に、前記報告を獲得する手段を備える［３８］記載のワイヤレス通信装置。
［４２］コンピュータプログラムプロダクトにおいて、
コンピュータ読取可能媒体を含み、
前記コンピュータ読取可能媒体は、
少なくとも１つのコンピュータに、移動体デバイスにおいて実行されたデータパケットのセットのバンドリングを少なくとも部分的に特定する報告を前記移動体デバイスから受信させるためのコードと、
前記少なくとも１つのコンピュータに、少なくとも前記報告に応答して、１つ以上の無線リソースをスケジューリングさせるためのコードとを有するコンピュータプログラムプロダクト。
［４３］前記コンピュータ読取可能媒体は、前記少なくとも１つのコンピュータに、メディアアクセス制御（ＭＡＣ）の制御エレメントを介して前記報告を獲得させるためのコードをさらに含む［４２］記載のコンピュータプログラムプロダクト。
［４４］前記コンピュータ読取可能媒体は、
前記少なくとも１つのコンピュータに、前記報告を伝えるための配信モードを選択させるためのコードと、
前記少なくとも１つのコンピュータに、前記配信モードの表示を前記移動体デバイスに送信させるためのコードとをさらに含む［４２］記載のコンピュータプログラムプロダクト。
［４５］前記コンピュータ読取可能媒体は、
前記少なくとも１つのコンピュータに、前記報告の配信の期間を規定する時間間隔を特定させるためのコード、または、
前記少なくとも１つのコンピュータに、前記報告の配信に対するスケジュールを規定させるためのコードをさらに含む［４４］記載のコンピュータプログラムプロダクト。
［４６］前記コンピュータ読取可能媒体は、前記少なくとも１つのコンピュータに、１つ以上のイベントのセットにおけるイベントが起こるときに、前記報告の配信をトリガする１つ以上のイベントのセットを構成させるためのコードをさらに含む［４４］記載のコンピュータプログラムプロダクト。
［４７］前記コンピュータ読取可能記憶媒体は、前記少なくとも１つのコンピュータに、イベントベースの配信モードにおける配信条件が満たされている場合に、前記報告を獲得させるためのコードをさらに含む［４４］記載のコンピュータプログラムプロダクト。
［４８］ワイヤレス通信装置において、
少なくとも１つのプロセッサを具備し、
前記少なくとも１つのプロセッサは、
移動体デバイスにおける論理チャネルインデックス（ＬＣＩＤ）ごとのデータの総量を前記移動体デバイスから受信し、
データパケットのセットのバンドリングを少なくとも部分的に特定する報告を前記移動体デバイスから受信し、
前記ＬＣＩＤごとのデータの総量と、前記報告とのうちの少なくとも１つに応答して、１つ以上の無線リソースをスケジューリングするように構成され、
前記移動体デバイスがバンドリングを実行するワイヤレス通信装置。
【図１】
0005475111.tif 000002
【図２】
0005475111.tif 000003
【図３】
0005475111.tif 000004
【図４】
0005475111.tif 000005
【図５】
0005475111.tif 000006
【図６】
0005475111.tif 000007
【図７】
0005475111.tif 000008
【図８】
0005475111.tif 000009
【図９】
0005475111.tif 000010
【図１０】
0005475111.tif 000011
【図１１】
0005475111.tif 000012
【図１２】
0005475111.tif 000013
【図１３】
0005475111.tif 000014
【図１４】
0005475111.tif 000015
【図１５】
0005475111.tif 000016